(57)【特許請求の範囲】
【請求項１】
構成出力を生成するためのシステムであって、以下を含み：
オーダー・エントリ・インターフェースであって、該インターフェースは、治療法オーダーを受け取るように動作可能であり、該オーダーは、少なくとも一部の治療法の記載を含み、該記載は、患者ケア装置を用いて患者に施すための治療法に対応する、該インターフェース；並びに
構成出力ジェネレーターであって、前記オーダー・エントリ・インターフェースと動作可能に通信する、該ジェネレーター；並びに
構成出力であって、前記構成出力ジェネレーターによって生成され、以下を含む、該構成出力：
第一部分であって、第一パーツを含み、該パーツは、一部の前記治療法の記載に基づいて、少なくとも部分的に生成される、該部分、及び
第二部分であって、第一のコードを含み、該コードは、前記第一部分に基づいて少なくとも部分的に生成される、該部分;
ここで、前記患者ケア装置が、ユーザーによる手動エントリにより、前記第一部分及び前記第二部分を受け取るための、ユーザー・インターフェースを含む、該システム。
【請求項２】
請求項１に記載のシステムであって、前記治療法は、ＩＶ流体を患者に前記患者ケア装置を用いて投与することを含む、該システム。
【請求項３】
請求項１に記載のシステムであって、前記患者ケア装置は注入ポンプを更に含む、該システム。
【請求項４】
請求項３に記載のシステムであって、前記治療法オーダーは用量オーダーを含み、該オーダーは、前記注入ポンプを用いて投与する前記ＩＶ流体に対応する用量の記載を含む、該システム。
【請求項５】
請求項４に記載のシステムであって、前記構成出力はラベルを含む、システム。
【請求項６】
請求項５に記載のシステムであって、前記ラベルは、前記ＩＶ流体を含有する容器に取り付けられる、該システム。
【請求項７】
請求項６に記載のシステムであって、前記患者ケア装置は、前記第一部分のエントリを、前記第二部分に基づいて確認するよう動作可能である、該システム。
【請求項８】
請求項６に記載のシステムであって、前記第一部分は、前記患者ケア装置の少なくとも一部の構成プロトコルに少なくとも部分的に基づき、前記第一部分が第二のコードを含む、該システム。
【請求項９】
請求項８に記載のシステムであって、前記第一部分は、第二パーツを含み、該パーツは、前記第二のコードを含む、該システム。
【請求項１０】
請求項９に記載のシステムであって、前記第一パーツは、プレーンテキスト値を含み、該値は、前記治療法の記載に対応する、該システム。
【請求項１１】
請求項１０に記載のシステムであって、前記患者ケア装置は、前記プレーンテキスト値のエントリを、前記第二のコードに基づいて確認するよう動作可能であり、及び前記患者ケア装置は、前記第二のコードを、前記第一のコードに基づいて有効化するよう動作可能である、該システム。
【請求項１２】
請求項８に記載のシステムであって、前記第二のコードは、患者ケア装置を設定する際に使用するための１以上の設定データコンポーネントを表す、該システム。
【請求項１３】
請求項１２に記載のシステムであって、前記患者ケア装置は、予め記憶された治療法データセットに動作可能に通信し、前記第二のコードによって表される設定データコンポーネントにアクセスする、該システム。
【請求項１４】
請求項１に記載のシステムであって、前記オーダー・エントリ・インターフェースは、プロセッサによって実行され、該プロセッサは、メモリと動作可能に通信する、該システム。
【請求項１５】
請求項１４に記載のシステムであって、前記メモリは、非一時的なコンピュータ読取可能データを保持し、該データは、前記オーダー・エントリ・インターフェースの実行に対応する、該システム。
【請求項１６】
請求項１に記載のシステムであって、前記構成出力ジェネレーターは、プロセッサによって実行され、該プロセッサは、メモリと動作可能に通信する、該システム。
【請求項１７】
請求項１６に記載のシステムであって、前記メモリは、非一時的なコンピュータ読取可能データを保持し、該データは、前記構成出力ジェネレーターの実行に対応する、該システム。
【請求項１８】
請求項８に記載のシステムであって、前記第一部分は、前記治療法の記載及び前記構成プロトコルの各々の少なくとも一部に少なくとも部分的に基づく、該システム。
【請求項１９】
請求項１８に記載のシステムであって、前記第一部分は、少なくとも部分的に以下に対応する、該システム：構成プロトコルの１以上の設定データコンポーネント、構成プロトコルのデータ入力シーケンス、及び構成プロトコルの少なくとも１つの構成パラメーター形式。
【発明の詳細な説明】
【技術分野】
【０００１】
関連出願
【０００２】
本出願は以下の出願に関する優先権を主張する：米国仮特許出願番号６１／７６２，７２５（出願日２０１３年２月８日、発明の名称「ＣＯＤＥ  ＦＯＲ  ＰＡＴＩＥＮＴ  ＣＡＲＥ  ＤＥＶＩＣＥ  ＣＯＮＦＩＧＵＲＡＴＩＯＮ」）。この仮出願全体を、参照により本明細書に組み込む。
【背景技術】
【０００３】
情報伝達エラーは、患者に医療処置を施す際、多様且つ広範な難題を提示し続けてきた。具体的には、エラーが起こりうる場合として、施術者（ｃａｒｅｇｉｖｅｒ）が患者ケア装置をある指示に基づいて設定（構成）する場合が挙げられ、該指示は所与の患者に施す治療法に関連する（例えば、施術者（ｃａｒｅｇｉｖｅｒ）が構成データを、患者ケア装置に入力して、動作パラメーターを確立する場合）。こうした文脈において、エラーは、複数の手法を通して導入される可能性があり、例えば、以下のものが含まれる：不正確なデータ転記、効果の無い通信手法、及び／又は不正確なデータ変換。
【発明の概要】
【発明が解決しようとする課題】
【０００４】
エラーが導入される可能性のあるこうしたシナリオの１つとしては、患者ケア注入装置が、施術者（ｃａｒｅｇｉｖｅｒ）（例えば内科医）によって生成した用量オーダーに対応するＩＶ流体を投与するように構成（設定）される場合が挙げられる。ＩＶ流体を投与する際に関与する治療法の性質上、こうした文脈においてのエラーは、患者に害をもたらす可能性がある。従って、患者ケア装置の構成に関連するエラー、そして、及び特に設定可能な注入装置に関連するエラーを減らすことは、引き続きとても重要となる。
【課題を解決するための手段】
【０００５】
概要
【０００６】
本開示は、構成（設定）出力の生成に関するものであり、該出力は、患者ケア装置（例えば、設定可能な注入ポンプ又は同様の装置）の構成（設定）に関連して使用することができるものであり、該使用は、施術者（ｃａｒｅｇｉｖｅｒ）が、治療（例えば、ドラッグの静脈注入）を施すために行う。本明細書に記載してあるように、構成出力は、あるコードを含むように生成することができ、該コードは、患者ケア装置を設定するときに用いることができる。この点に関して、コードを使用することにより、手動で患者ケア装置を設定することに関連する情報伝達エラーを低減するのに寄与することができる。本出願に従った方法は、コンピュータで実装される方法であってもよい。
【０００７】
上述したように、現在の実務では、患者ケア装置を設定する際、施術者（ｃａｒｅｇｉｖｅｒ）は、患者ケア装置に入力するために、所与の媒体（例えば、治療法のオーダー、医療記録等）から値を転記する必要が生じる可能性がある。そして、エラーが発生する機会が生じる可能性がある（例えば、転記エラー、値の入力間違い等）。
【０００８】
本明細書に記載の幾つかの実施形態において、コードは、患者ケア装置に（例えば、ヒトユーザーが手動で）入力された１以上の設定データコンポーネントの正確さを確認するために、生成することができ、そして使用することができる。この点に関して、確認コードは、少なくとも部分的に、以下に基づいて生成することができる：患者ケア装置に入力することを意図した設定データコンポーネント。そして、確認コードは、患者ケア装置に入力することができ、そして、患者ケア装置にて使用することができ、意図した設定データコンポーネントが正確に入力されたかどうか検出する。入力エラーを検出すると、患者ケア装置は、施術者（ｃａｒｅｇｉｖｅｒ）にエラーが発生した旨の警告を出すように設けることができ、その結果、エラーを投与手順開始前に較正することができる。有利な点として、人と機械との相互作用が改善される。なぜならば、ユーザーの入力に対して機械ベースの確認が行われるからである。換言すれば、ユーザーは、入力データを確認するという精神的なタスクに関して、解放される可能性があり、及び／又はこうしたことに関してアシストを受けることができる。従って、設定ミス及び／又は設定不適合性を、減少及び／又は検出することができる。
【０００９】
更に言えば又はこれに代えて、本明細書に記載の幾つかの実施形態において、コードを生成することができ、該コードは、１以上の設定データコンポーネントを表し、該コンポーネントは、患者ケア装置の構成（設定）において使用するためのものである。この点に関して、患者ケア装置を以下のように設けることができる：即ち、より広範な設定データコンポーネント（複数可）を患者ケア装置に手動で入力することに代えて、患者ケア装置へのコードの入力を実行することができる。例えば、患者ケア装置に、あるロジックを（例えば、コードを受け取る前に）提供して、入力されたコードを解読することができる。患者ケア装置は、コードからの解読された情報を用いることができ、設定データコンポーネントを得ることができ、該コンポーネントは、患者に対して治療を施すための患者ケア装置を設定する際に使用するためのものである。ある実施において、解読された情報は、予め記憶された治療法データを示すことができ、これは、治療を施すための患者ケア装置を設定するために使用するためのものである。ある実施において、解読された情報は、それ自体、患者ケア装置を設定する際に使用するための１以上の設定データコンポーネントを含むことができる。別の観点において、与えられたロジックは、適切なアルゴリズムの機構を含み、該機構は、患者ケア装置に（例えば、コードを受け取る前に）設けられ、入力されたコードを解読する。有利な点として、人と機械との相互作用が改善される。なぜならば、マシーンベースのデータの拡張（例えば、こうしたデータは、手動でユーザーが入力するが）を提供することができるからである。換言すれば、ユーザーは、比較的短いコードを入力するだけでよく、そして、以下の点から解放され、及び／又は、以下の点で補助を受けることができる：長くて及び複雑な入力データを記憶及び／又は確認するという精神的なタスク。従って設定ミス及び／又は設定不適合性を減らすことができ、又は、回避することさえもできる。こうした点は、以下の場合には更に顕著となる：コードを入力することが、機械向けのものであって、例えば、コードをバーコード若しくは他の機械読取可能データとして入力すること、並びに／又はスキャン及び／若しくは読取装置を用いることによる場合。
【００１０】
一実施形態において、コードは、複数の設定データコンポーネントを表してもよい。１以上の設定データコンポーネントを表すコードを使用することにより、患者ケア装置のユーザー構成（設定）に伴うデータ・エントリ・ステップの数を減らすことができ（例えば、キーを押下する数を減らす）、従って、データ・エントリ・エラーの可能性を減らし、それによって、人と機械との相互作用を改善する。
【００１１】
幾つかの実施において、コードを用いて１以上の入力された設定データコンポーネントの正確さを確認するのか、又は前記コードが１以上の設定データコンポーネントを表しているのかといった点に関わらず、コードをチェックすることができ、コードのエントリの正確さを確認することができる。この点に関して、チェック・コードを構成出力に設けることができ、これは、コードの正確なエントリを有効化する際に用いるためのものである。チェック・コードは、コードに統合されたものであってもよく、該コードは設定データコンポーネントを確認または示すために用いられ（例えば、コードは、組み込みチェック・コードの特徴を含むセルフ・チェッキング・コードであってもよい）又は別のチェック・コードであってもよく、該コードは別のコードの入力の正確さを確認する目的で使用するために生成される。有利な点として、人と機械との相互作用が改善される。なぜならば、入力データの機械ベースの確認を行うからである。換言すれば、ユーザーは、入力データを確認するという精神的なタスクから解放され、及び／又はこうしたことに関してアシストを受ける。従って、設定ミス及び／又は設定不適合性を、減少及び／又は検出することができる。
【００１２】
上記の観点から、第一の態様において、ある方法が提供され、該方法は、構成出力を生成するためのものであり、該出力は治療法オーダーに関するものであり、該オーダーは、患者ケア装置を用いて患者に施すための治療法に対応する。前記方法は治療法オーダーを受け取ることを含むことができ、該オーダーは、治療法の記載を含み、該記載は患者に施すための治療法に対応し、及び前記方法は、治療法オーダーのための構成出力を生成することを含むことができ、該オーダーは、治療を施すための患者ケア装置の設定において使用するためのものであってもよい。少なくとも構成出力の第一部分は、第一パーツを含むことができ、該第一パーツは、一部の治療法の記載に基づいて、少なくとも部分的に生成される。更に言えば、構成出力の第二部分は、第一のコードを含むことができ、該コードは、第一部分に基づいて少なくとも部分的に生成される。
【００１３】
複数の特徴を改良したもの及び追加の特徴は第一の態様に適用可能である。これらの特徴を改良したもの及び追加の特徴は、個別に用いてもよいし、又は、後述する第二の態様の特徴と組み合わせて用いてもよい。従って、後述する各特徴について説明するが、これらの特徴は、必須ではないものの、任意の他の特徴と共に用いてもよく、又は第一の態様の特徴と組み合わせて用いてもよい。
【００１４】
一実施形態において、第一部分は、患者ケア装置の少なくとも一部の構成プロトコルに、少なくとも部分的に基づいてもよい。構成プロトコルは、１以上の設定データ入力コンポーネントを含み（即ち、データ値であって、患者ケア装置において入力され、患者ケア装置の設定をする）。第一部分は、データを含むことができ、該データは、１以上の設定データコンポーネントに対応し、該データは、患者ケア装置の設定の際に用いられる。この点に関して、第一部分はプレーンテキスト値を含むことができ、該値は患者ケア装置の構成プロトコルに対応する。プレーンテキスト値は、ある値を含み、該値は、設定データコンポーネントに対応し、該コンポーネントは、患者ケアの設定のために患者ケア装置に入力される。該実施形態において、第二部分のコードは、確認コードを含み、該コードは、患者ケア装置において入力された１以上の値を確認するためのものである。
【００１５】
幾つかの実施形態において、第一部分は第二のコードを含むことができる。この点に関して、第二のコードは、一部の治療法の記載に基づいて、少なくとも部分的に生成することができる。こうした実施形態において、第一のコードは、第二のコードに基づいて、少なくとも部分的に生成することができる。従って、第一のコードは、患者ケア装置における第二のコードのエントリの正確さを確認するために用いることができる。そして、第二のコードは、患者ケア装置を設定する際に使用するための１以上の設定データコンポーネントを示すため及び／又は確認するために用いることができる。有利な点として、人と機械との相互作用が改善される。なぜならば、２つのコードを使用することによる入力データの機械ベースの確認を行うことができるからである。換言すれば、２つのコードを提供及び使用することにより、入力データの機械ベースの自己確認を確立することができる。従って、設定ミス及び／又は設定不適合性を、減少及び／又は検出することができる。
【００１６】
例えば、幾つかの実施において、第一部分の第一パーツはプレーンテキスト値を含むことができ、該値は患者ケア装置の構成プロトコルに対応する。従って、プレーンテキスト値は、管理施術者が読み取ることができ、管理施術者が患者ケア装置に値を転記することを促進することができる。また、第一部分は、第二パーツを含むことができ、該第二パーツは第二のコードを上述したように含むことができる。
【００１７】
一実施形態において、第二のコードは対応する治療法の記載を表すことができる。この点に関して、第二のコードは、患者ケア装置において予め記憶された治療法データセットを表してもよく、該データセットは、対応する治療法の記載に対応するものであってもよい。そして、第二のコードを使用して、患者ケア装置に指示して、予め記憶された治療法データにアクセス及び検索することができ、該データは、患者ケア装置の設定内の設定データコンポーネントとして使用するためのものであってもよい。こうした例では、設定データコンポーネントをマスタ・ドラッグ・ライブラリ（ＭＤＬ）から検索してもよく、該ライブラリは、ＩＶ流体のための用量の記載と対応し、該ＩＶ流体は、設定可能な注入装置を用いて患者に投与すべきものである。ある実施において、コードは患者ケア装置によって解読可能なものであってもよく、その結果、患者ケア装置は、設定データコンポーネントを直接コードから抽出することができる。有利には、設定データの機械ベースの検索を行うことができる。従って、ユーザーは、以下の点での精神的なタスクから解放され、及び／又は、該タスクにおいてアシストを受ける：設定データを記憶すること及び／又は入力すること。その結果、人と機械との相互作用を向上させることができる。更には、有利には、患者ケア装置を、以下に基づいて設定することができる：機械が確認可能な態様での複数の異なるドラッグ投与に関する複数のデータコンポーネントの組合せ。
【００１８】
一実施形態において、第一部分及び第一のコード（例えば、上述した任意の用例において、）を、患者ケア装置において、ユーザーが入力することができる（例えば、第一部分及び第一のコードを管理施術者が手動で転記及びエントリすることを含む）。例えば、第一部分は、患者ケア装置の構成プロトコルに対応してもよく、及び第一のコードは患者ケア装置において使用することができ、ユーザーが入力した第一部分を確認することができる。一実施形態において、第一部分は、第二のコードを含むことができる。（例えば、上述したように）、及び第一のコードを患者ケア装置において用いることができ、ユーザーが入力した第二のコードを有効にすることができる。
【００１９】
一実施形態において、治療法の記載に対応するデータは、アルゴリズムに関する入力であってもよく、該アルゴリズムは、第一のコードを生成するために用いられる。更に言えば、対応するアルゴリズムは、患者ケア装置に記憶することができる。対応するアルゴリズムは、第一部分の分析の目的で、第一のコードとの比較のための比較コードを生成するように動作可能であってもよい。更に言えば又はこれに代えて、対応するアルゴリズムは、第一部分の分析の目的で、第一のコードを解読するように動作可能であってもよい。有利な点として、人と機械との相互作用が改善される。なぜならば、第一のコード及び／又は第一部分の機械ベースの確認を行うことができるからである。
【００２０】
一実施形態において、コード（例えば、第二のコード）を、識別子として使用することができ、治療法オーダーについて追跡及び／又は管理することができる。例えば、所与の治療法の記載に関して、複数の予め決定可能な第二のコードのうち１つは、生成ステップにおいて生成可能であってもよい。即ち、共通する治療法の記載（例えば、異なる患者に、異なる時間で投与すべきもの等）は、異なる予め決定可能な第二のコードを生成するという結果をもたらすことができる。従って、各々の複数の予め決定可能な第二のコードは、異なってもよい。この点に関して、複数の予め決定可能な第二のコードのうちの各々１つは、複数の期間のうちの異なる１つとの対応する関係において、生成可能であってもよい。即ち、異なる複数の期間のうちの所与の１つに関して、各ユニークな予め決定可能な第二のコードを、一回のみ生成することができる。複数の期間は、定められた数の用量に対応することができる（例えば、ある期間は、ある特定の数の用量（例えば５，０００、１０，０００、１５，０００等）を受け取る期間として定義してもよい）。
【００２１】
あらゆる点に関して、複数の期間のうち所与の１つの間、複数の予め決定可能な第二のコードのうち１つは、治療法オーダーとの対応する関係において、生成可能である。従って、治療法オーダーは、患者に対応してもよく（即ち、治療法オーダーは、患者に投与すべきものとして記載されてもよい）、及び複数の予め決定可能な第二のコードのうち１つは、患者との対応する関係において記憶されることができる。この点に関して、複数の予め決定可能な第二のコードのうち１つは、患者ケア装置から受取可能であってもよく、該装置は、治療法を患者に施すために使用される物である。そして、治療法を患者に施すために使用される患者ケア装置に関するデータは、患者との対応する関係において記憶されることができる。即ち、複数の予め決定可能な第二のコードのうち１つを使用して、治療法オーダー及び／又は治療法オーダーを受ける患者を、治療法を施すために使用される患者ケア装置に関するアイデンティティ又は他の情報に関連付けることができる。有利には、患者ケア装置の機能については、特定の患者のニーズに対応可能であり、該機能により、患者に施された治療法を追跡することが可能となる。その結果、ユーザーは、以下の点での精神的なタスクから解放され、及び／又は、該タスクにおいてアシストを受ける：患者に施された治療法を追跡すること。
【００２２】
一実施形態において、方法は、患者ケア装置を特定することも含むことができ、該装置は、治療法を患者に施すために使用される物であり、患者ケア装置は、治療法を施すための少なくとも１つの所定の構成プロトコルを有する。従って、第一部分は、少なくとも部分的に以下の点に基づくものであってもよい：各治療法の記載及び所定の構成プロトコルの少なくとも一部。即ち、コードを含むことに加えて、構成出力は、患者ケア装置特有の構成出力であってもよい。従って、第一部分は、少なくとも部分的に以下に対応するものであってもよい：所定の構成プロトコルの１以上の設定データコンポーネント、所定の構成プロトコルのデータ入力シーケンス、及び所定の構成プロトコルの少なくとも１つの構成パラメーター形式。一実施形態において、構成プロトコルは以下のタイプのデータのうち少なくとも１つを含むことができる：
【００２３】
患者ケア施設内での患者の場所を表すデータ；
【００２４】
所定の複数の治療法のタイプのうちの１つを表すデータ；
【００２５】
少なくとも１つのドラッグを表すデータ；
【００２６】
治療濃度を表すデータ；
【００２７】
投与速度を表すデータ；
【００２８】
投与量を表すデータ；又は
【００２９】
任意の他の種類のデータ。
【００３０】
一実施形態において、生成ステップは、コンピュータ−で自動化された態様で、少なくとも部分的に完了させることができる。更に、一実施形態において、治療法は、ＩＶ流体を患者に対して注入装置を用いて投与することを含むことができる。治療法オーダーは、用量オーダーを含むことができ、該オーダーは、投与すべきＩＶ流体に対応する用量の記載を含む。用量の記載は、投与すべきＩＶ流体の１以上の属性を含むことができる。一実施形態において、前記方法は、ラベル（構成出力を含む）を生成すること、及び該ラベルを容器（ＩＶ流体を含有する）に取り付けることを含むことができる。
【００３１】
一実施形態において、第一のコード及び第二のコードのうち少なくとも１つ（例えば、可能性としては両方）は、１以上のヒト読取可能なディジットを含むことができ、該ディジットは、ＡＳＣＩＩ印刷可能文字を含むことができる。第一のコード及び第二のコードは、１以上のＡＳＣＩＩ印刷可能文字を含むことができる。例えば、第一のコード及び第二のコードは、アルファニューメリックコードを含むことができる。
【００３２】
ある態様によれば、コンピュータ・プログラム製品が提供され、該製品はコンピュータ読取可能媒体上に記憶され、及び／又はコンピュータ処理可能なデータストリームとして実装されることができる。ここで、コンピュータ・プログラム製品は、コンピュータ処理可能な指示を含み、指示は、コンピュータのメモリ内で読み込まれたとき、及びコンピュータによって実行されたとき、コンピュータに対して、本発明の方法（複数可）を実行させる（概して説明した上記方法、及び後述するより具体的な例における方法）。
【００３３】
第二の態様では、構成出力を生成するためのシステムを含み、該システムは、オーダー・エントリ・インターフェースを含み、該インターフェースは、治療法オーダーを受け取るように動作可能であり、該オーダーは、少なくとも一部の治療法の記載を含み、該記載は、患者ケア装置を用いて患者に施すための治療法に対応する。また、システムは、構成出力ジェネレーターを含み、該ジェネレーターは、オーダー・エントリ・インターフェースと動作可能に通信し、及び、前記システムは、構成出力を含み、該出力は、構成出力ジェネレーターによって生成される。構成出力は、第一部分を含み、該部分は、第一パーツを含み、該パーツは、一部の治療法の記載に基づいて、少なくとも部分的に生成され、及び前記構成出力は、第二部分を含み、該部分は、第二パーツを含み、該パーツは、第一部分に基づいて少なくとも部分的に生成される。
【００３４】
複数の特徴を改良したもの及び追加の特徴は第二の態様に適用可能である。これらの特徴を改良したもの及び追加の特徴は、個別に用いることができ、又は、上述した第一の態様の特徴とも組み合わせて用いることができる。従って、後述する各特徴について説明するが、これらの特徴は、必須ではないものの、任意の他の特徴と共に用いてもよく、又は第二の態様の特徴と組み合わせて用いてもよい。
【００３５】
一実施形態において、システムは、患者ケア装置を含むことができ、該装置は、ユーザー・インターフェースを有することができ、該インターフェースは、第一部分及び第二部分を、ユーザーによる手動エントリによって、受け取るためのものであってもよい。更に、治療法は、ＩＶ流体を患者に患者ケア装置を用いて投与することを含むことができる。患者ケア装置は注入ポンプであってもよい。治療法オーダーは、用量オーダーを含むことができ、該オーダーは、注入ポンプを用いて投与すべきＩＶ流体に対応する用量の記載を含む。更に言えば、構成出力はラベルであってもよい。そして、ラベルは、ＩＶ流体を含有する容器に取り付けることができる。
【００３６】
様々な実施形態において、患者ケア装置は設定可能であってもよく、及び／又は、他にロジックを設けてもよく、以下の点を決定することができる：本明細書に記載のコードが所与の意図された操作の目的で患者ケア装置を設定するのに必要な否か。例えば、患者ケア装置を設けることができ、その結果、コードの入力は、本明細書に記載するように、ある患者ケア装置の使用においては必要とされ、及び別の患者ケア装置の使用においては必要とされない。
【００３７】
第一の態様に従った構成出力ジェネレーター、患者ケア装置、及び／又はシステムの他の部分は、ある機能を実行するよう動作可能であってもよく、該機能は、任意の又は全ての上述したような第一の態様の方法及びこれらの変更に関連してもよい。従って、以下の点を理解されたい：即ち、第一の態様の方法に関して議論したいかなる内容は、制限されることなく、第二の態様のシステムによって実行することができる。
【図面の簡単な説明】
【００３８】
【図１】あるワークフローの実施形態を概念的に表現したものであり、該ワークフローは、患者ケア装置の構成（設定）のためのものであり、該構成は、オーダーされた治療法を、患者に対して、患者ケア装置を用いて施すためのものである。
【図２】設定可能な患者ケア装置の実施形態を表し、該装置は、設定可能な注入装置を含み、該注入装置は、容器に含まれ且つ患者に投与するためのＩＶ流体に動作可能に連結する。
【図３】フローチャートを描写しており、該フローチャートは、あるオーダーのための患者ケア装置特有の構成出力の生成のための方法の実施形態に対応する。
【図４】患者に投与すべきＩＶ流体に対応する用量オーダーの実施形態を表す。
【図５】図４の用量オーダーに対応する患者ケア装置特有の構成出力の実施形態を表す。
【図６】ある構成出力の実施形態を表し、該出力は、患者に投与すべきＩＶ流体のための容器に取り付けられたラベルを含む。
【図７Ａ−７Ｅ】注入装置を設定するための構成プロトコルに対応する複数の異なる状態での設定可能な注入装置のユーザー・インターフェースの実施形態を描写する。
【図８】患者ケア装置の構成（設定）におけるコードの生成及び使用のための方法の実施形態に対応するフローチャートを描写する。
【図９】ある構成出力の実施形態を描写しており、該出力は、図４の用量の記載に対応する１以上のプレーンテキスト値と、及び少なくとも一部の用量の記載に対応する設定データコンポーネント入力の確認のためのコードとを含む。
【図１０】ある構成出力の実施形態を、以下のものとともに描写する：図４の用量の記載に対応する１以上のプレーンテキスト値、少なくとも一部の用量の記載に対応する設定データコンポーネント入力の確認のためのコード、及び確認コードの有効化のためのチェック・コード。
【図１１】ある構成出力の実施形態を、以下のものとともに描写する：図４の用量の記載に対応するコード（該コードは、以下を表す：用量の記載に対応する１以上の設定データコンポーネント入力）及びコードの有効化のためのチェック・コード。
【図１２】患者ケア装置の構成（設定）の際に使用するために示すことができる予め記憶された治療法データの実施形態を描写する。
【図１３】コードを構成出力から受け取るための状態における、設定可能な注入装置のグラフィカル・ユーザー・インターフェースの実施形態を描写する。
【発明を実施するための形態】
【００３９】
詳細な説明
【００４０】
以下の説明は、本発明を、本明細書に記載の形態に限定することを意図するものではない。従って、関連技術の以下の教示、スキル、及び知識に相当する変更及び修正は、本発明の範囲内である。本明細書に記載の実施形態は、更に以下の点を意図している：本発明の実施に関して知らせるモードを説明すること；及び当業者が、本発明を、当該実施形態又は他の実施形態で使用すること、及び本発明の特定の応用（複数可）又は使用（複数可）で必要となる様々な改変を伴って使用することを可能にすること。
【００４１】
図１は、ワークフロー（１００）の実施形態を概念的に描写しており、該ワークフローは、患者ケア装置（１４０）の構成（設定）において使用するための構成出力の生成を促進する。構成出力は患者ケア装置特有の構成出力であってもよく、及び／又はコードを含んでもよい。従って、まず、以下の開示は、概して、ワークフロー（１００）について説明するものであり、該ワークフローは、患者ケア装置特有の構成出力及び／又はコードを有する構成出力のいずれかを生成するために使用することができる。そして、患者ケア装置特有の構成出力の実施形態を提示する。その後、コードを含む構成出力に関連する実施形態について説明する。
【００４２】
概して、ワークフロー（１００）は、オーダー・エントリ・インターフェース（１１０）の使用を含むことができ、該インターフェースは、ある治療法のためのオーダーを受け取るためのものであり、該治療法は、設定可能な患者ケア装置（１４０）を用いて患者に施すためのものである。オーダー・エントリ・インターフェース（１１０）は、データを出力することができ、該データは、構成出力ジェネレーター（１２０）が受け取るための治療法オーダーに対応する。構成出力を管理施術者（１３０）に提供することができる。管理施術者（１３０）は、その後、構成出力ジェネレーター（１２０）から受けとった構成出力を使用することができ、患者ケア装置（１４０）を設定することができる。構成出力の様々な実施形態に関する後述の説明で理解できるかもしれないが、患者ケア装置を設定するための構成出力の使用により、構成エラーの減少をアシストすることができる。更に言えば又はこれに代えて構成出力ジェネレーター（１２０）は、構成出力を直接患者ケア装置（１４０）に提供する事ができる（例えば、患者ケア装置（１４０）における構成出力の表示又は他の使用目的で）。このことは、任意の既知の又は未知の通信手段を通して達成することができ、該手段には以下のものが含まれる：任意の有線の、無線の、又は他の通信手段。更に、図示するように、及び後に更に詳述するが、ワークフロー（１００）は、フィードバックループを、構成出力ジェネレーター（１２０）とオーダー・エントリ・インターフェース（１１０）との間で含むことができ、該フィードバックループを使用してオーダーに関する追加情報を要求することができる（例えば、一旦、オーダーを、構成出力ジェネレーター（１２０）が分析した後）。
【００４３】
オーダー・エントリ・インターフェース（１１０）は、コンピュータベースのオーダー・エントリ・システムを含むことができる。即ち、オーダー・エントリ・インターフェース（１１０）は、グラフィカル・ユーザー・インターフェース（ＧＵＩ）を含むことができ、該ＧＵＩは、コンピューティング・デバイスによって促進され、該ＧＵＩは、患者に施すためのオーダーに対応する情報を施術者が入力することを可能にする。例えば、コンピューティング・デバイスは、ネットワーク化されたコンピューティング・デバイスであってもよい（例えばパーソナル・コンピュータ、ネットワーク端末、モバイル装置、又は他のコンピューティング・デバイス）。この点に関して、オーダー・エントリ・インターフェース（１１０）は、少なくとも１つのプロセッサを含むことができ、該プロセッサはメモリにアクセスするために動作可能であり、該メモリは指示を記憶することができ、該指示は、プロセッサの実行を制御して、あるオーダーを受け取る及び出力するためのものであってもよい。
【００４４】
あらゆる点に関して、オーダー・エントリ・インターフェース（１１０）は、施術者から、患者に施す治療法に関する情報を受け取ることができる。一実施形態において、治療法は、設定可能な患者ケア装置（１４０）を用いて患者にＩＶ流体を投与することを含むことができる。例えば、図２に描写するように、設定可能な患者ケア装置（１４０）は、注入装置（２００）（例えば、設定可能な注入ポンプ）を含むことができる。この点に関して、オーダー・エントリ・インターフェース（１１０）で受け取ったオーダーは、用量オーダーであってもよく、該オーダーは、患者に投与するＩＶ流体（２５２）に対応する用量情報に関するものであってもよい。この点に関して、用量情報は、ＩＶ流体及び／又はこの投与の１以上の属性を含むことができる。患者に投与するＩＶ流体（２５２）は容器（２５０）内に収容されてもよい。容器（２５０）は投与ポート（２５４）を含むことができ、該ポートは、投与セット（２５６）を容器（２５０）に接続することを促進することができる。投与セット（２５６）は、容器（２５０）と投与セット（２５６）の遠位端（２５８）における患者（図示しない）との間の流体連通を促進するために使用される。
【００４５】
更に言えば、投与セット（２５６）の部位（２６０）は、注入装置（２００）のポンプ部分（２１０）内に配置することができる。この点に関して、ポンプ部分（２１０）は適切な機構（例えば、ペリスタルティック・ポンプ装置）を有することができ、該機構は、ＩＶ流体（２５２）のフローを制御するためのものであり、該フローは、患者にＩＶ流体（２５２）を投与するための投与セット（２５６）を通して行われる。他の適切なタイプの注入装置（２００）を提供することができ、該装置は、ＩＶ流体（２５２）を患者に投与することを制御すること可能にする。
【００４６】
この点に関して、注入装置（２００）は、以下のために設定可能であってもよい：ＩＶ流体（２５２）の患者への制御された投与のためのポンプ部分（２１０）を制御すること。例えば、注入装置（２００）は、グラフィカル・ユーザー・インターフェース（ＧＵＩ）（２２０）を含むことができ、該ＧＵＩは以下のために使用される：設定指示（例えば、１以上の設定データコンポーネントを含む）を管理施術者（ｃａｒｅｇｉｖｅｒ）（１３０）から受け取ること。ＧＵＩ（２２０）は表示装置（２２２）及び入力装置（２２４）（例えば、図２に示すように複数のボタン又はキーを含む）を含むことができる。他の入力装置（２２４）を提供することができ、例えば、以下の物が含まれる：タッチスクリーン入力装置、キーボード、又は他のヒト−機械インターフェース。この点に関して、管理施術者（ａｄｍｉｎｉｓｔｅｒｉｎｇ  ｃａｒｅｇｉｖｅｒ）（１３０）は入力装置（２２４）を用いることができ、１以上の設定データコンポーネントを入力することができ、前記コンポーネントは、ＩＶ流体（２５２）を患者にオーダーされた形で投与することに関するものであってよく、そして、前記コンポーネントは、表示装置（２２２）に反映することができる。
【００４７】
注入装置（２００）の形式で患者ケア装置（１４０）の一例を本明細書に記載し、及び図２に示しているが、以下の点を理解されたい：即ち、本開示は、任意の設定可能な患者ケア装置（１４０）に拡張することができ、こうした装置は、治療法を患者に施す際に使用可能である。例えば、システム（１００）は他の設定可能な患者ケア装置（１４０）を含むことができる（例えば患者モニタ（例えば、以下を含む：心臓のモニタ、血流力学モニタ、呼吸のモニタ、神経のモニタ、血液グルコースモニタ、出産モニタ、体温モニタ等）、吸入治療法装置、経腸フィーディング・ポンプ、呼吸器のベンチレーション装置、透析装置、又は他の適切な設定可能な患者ケア装置（１４０））（これらに限定されない）。
【００４８】
以下の点を認識されたい：即ち、患者ケア装置（１４０）の設定を促進するための以前のアプローチはリスクを内包しており、患者ケア装置（１４０）の設定中にエラーが生じる可能性がある。Ｈｕｓｃｈらによる１つの研究（Ｉｎｓｉｇｈｔｓ  ｆｒｏｍ  ｔｈｅ  ｓｈａｒｐ  ｅｎｄ  ｏｆ  ｉｎｔｒａｖｅｎｏｕｓ  ｍｅｄｉｃａｔｉｏｎ  ｅｒｒｏｒｓ：  ｉｍｐｌｉｃａｔｉｏｎｓ  ｆｏｒ  ｉｎｆｕｓｉｏｎ  ｐｕｍｐ  ｔｅｃｈｎｏｌｏｇｙ，  Ｑｕａｌ．Ｓａｆ．Ｈｅａｌｔｈ  Ｃａｒｅ  ２００５；１４；８０−８６）（参照により全体を本明細書に組み込む）では、こうした文脈におけるエラー防止に関する継続的な必要性に関する詳細な議論を含む。例えば、以下のような可能性がある：即ち、ＩＶ流体（２５２）の投与に関連付けられた用量オーダーは、ＩＶ流体（２５２）自体の準備及び識別に関する情報から分離した状態で管理されている可能性がある。即ち、容器（２５０）はラベル（２６２）を含むことができ、該ラベルは、ＩＶ流体（２５２）に関するデータを有することができる。しかし、ＩＶ流体（２５２）の投与に関するオーダーは、ＩＶ流体（２５２）から分離した状態で管理される可能性がある（例えば、分離したオーダー又は医療記録で）。従って、管理施術者（ａｄｍｉｎｉｓｔｅｒｉｎｇ  ｃａｒｅｇｉｖｅｒ）（１３０）は、患者ケア装置の設定（１３０）の間、データの複数のソースにコンサルトする必要が生じる可能性がある。このことにより、潜在的にエラーを導入する可能性がある（例えば、以下の形で：不正確なソースのデータ、転記エラー、又は他のエラーモダリティ）。
【００４９】
更に、仮に、オーダーデータが、容器（２５０）上に配置されたラベル（２６２）上に含まれたとしても、依然として、データが、不正確であったり、欠落していたり、又は間違って識別される可能性がある。例えば、ラベル（２６２）に表示されるデータによっては、管理ケア施術者（１３０）にとって、以下のことが必要となる可能性がある：変換したり、又は追加データを提供して、患者ケア装置（１４０）を設定するために必要な設定データコンポーネント入力に到達すること。従って、上記特定したエラーに加えて、管理施術者（１３０）側でのエラーの可能性として、以下のものが含まれる可能性がある：数学的なエラー、測定単位の変換エラー、又はオーダーに従い管理施術者（１３０）が患者ケア装置（１４０）を設定しようと試みた時に導入される他のエラー。患者ケア装置特有の構成出力及びコードを含む構成出力に関する以下の説明から理解できるかもしれないが、構成出力に対するいずれか一方又は両方のアプローチは、患者ケア装置の設定に関連するエラーを減少させる際のアシストとなる可能性がある。
【００５０】
従って、一実施形態において、構成出力は、患者ケア装置特有の構成出力であってもよい。この点に関して、構成出力は、オーダーされた治療法を患者に施すための識別された患者ケア装置（１４０）に対応してもよい。即ち、構成出力は、治療法オーダー及び識別された患者ケア装置（１４０）に基づいて少なくとも部分的に生成されてもよい。例えば、構成出力ジェネレーター（１２０）は、図３に示すように、概して、方法（３００）を実行することができる。この点に関して、構成出力ジェネレーター（１２０）は、以下を含むことができる：ハードウェア、ソフトウェア、又はこれらの組み合わせ。例えば、一実施形態において、構成出力ジェネレーター（１２０）は、少なくとも以下を含むことができる：汎用目的プロセッサ及びメモリ。更に、方法（３００）に対応する指示は、後述するが、非一時的な機械読取可能データの形式で提供することができ、該データは、プロセッサがアクセスして、これらの動作をコントロールし、後述する方法（３００）を実行することができる。従って、構成出力ジェネレーター（１２０）は、コンピューティング・デバイス（例えばネットワーク化されたコンピューティング・デバイス、ネットワーク端末、モバイル装置、又は他の適切なコンピューティング・デバイス）を含むことができ、又は該デバイス上で実行することができる。更に言えば又はこれに代えて方法（３００）の少なくとも一部は、以下によって実行することができる：特定用途向けＩＣ（ＡＳＩＣ）（ＡＳＩＣ）、フィールド・ゲート・アレイ（ＦＧＡ）、又は他の適切な装置。そして、これらは、機能を実行するためのものであり、当業者にとって理解できるであろう。従って、方法（３００）の任意の又は全てのステップは、コンピュータ−で自動化された態様で実行することができる。
【００５１】
方法（３００）は、治療法に関するオーダーを受け取ること（３０２）を含むことができる。例えば、治療法オーダーは、図１で言及したように、オーダー・エントリ・インターフェース（１１０）を介して受け取ることができる。一旦、治療法オーダーを受け取ると（３０２）、方法（３００）は、患者ケア装置（１４０）を識別すること（３０４）を含むことができ、該装置は、オーダーされた治療法を患者に施すために使用することができる。この点に関して、前記識別すること（３０４）は、複数のタイプの装置のうちの１つを識別することを含み、該装置は、治療法を患者に施す際に使用することができる。各タイプの装置は、異なる所定の構成プロトコルを含むことができる。例えば、図２に記載の設定可能な注入装置（２００）の場合、施設は、複数のタイプの注入装置を有することができる。各々異なるタイプの注入装置（２００）は、所定の構成プロトコルを有することができ、該プロトコルは、他のタイプの各々の注入装置（２００）とは異なる。この点に関して、前記識別することは、以下を含むことができる：即ち、治療法を施す目的で使用するための施設の患者ケア装置（１４０）のうちの特定の１つを識別するのではなく、患者ケア装置（１４０）のタイプを決定することができ、その結果、所定の構成プロトコルが、オーダーされた治療法を施す際に使用するための装置（１４０）に関して、決定される。
【００５２】
後で更に詳述する別の実施形態では、前記識別するステップ（３０４）は、以下を含むことができる：少なくとも部分的に治療法オーダーに基づいて、患者ケア装置（１４０）を選択すること又は割り当てること。例えば、用量オーダーという文脈において、適切な注入装置（２００）を割り当てることは、以下に基づいてもよい：注入のタイプ、注入するドラッグのアイデンティティ、ＩＶ流体が投与される患者、患者の現在位置、又は任意の他の因子。一実施形態において、識別すること（３０４）は、患者の現在位置及び注入するドラッグのアイデンティティに基づく。一旦、こうした情報がわかると、適切な注入装置（２００）を選択することができ、その結果、該装置の構成プロトコルも分かる。あらゆる点に関して、一旦、治療法を施すために使用するための患者ケア装置（１４０）に関する所定の構成プロトコルが識別されると（３０４）、その後、治療法オーダーに対応する情報を分析することができ、及び／又はこれらを処理して構成出力を出力することができ、該出力は、治療法オーダー及び患者ケア装置（１４０）の識別に関する少なくとも一部の情報に基づく。
【００５３】
例えば、図３に示すように、方法（３００）の実施形態は、以下を含むことができる：治療法オーダーにおける情報の存在を決定すること（３０６）であり、該情報は、識別された患者ケア装置（１４０）の構成プロトコルに対応する。例えば、構成プロトコルは、以下を含むことができる：１以上の設定データコンポーネントであって、患者ケア装置（１４０）を設定する目的で使用するためのコンポーネント。従って、特定のシナリオにおいて、以下の点を決定することができる：即ち、一部の情報であって、１以上の設定データコンポーネントに対応する情報であり、該コンポーネントが患者ケア装置（１４０）の設定に用いられるという情報は、治療法オーダーにおいて提供されない。更に、可能性のあるシナリオとしては、治療法オーダーは、対立（矛盾）する情報を含み、これらの情報は、治療法を施す際に使用される１以上の設定データコンポーネントに対応する。他のシナリオとして可能性があるのは、そのオーダーにおいて提供された情報に幾つかの欠陥あることである。あらゆる点に関して、方法（３００）は、以下を含むことができる：責任施術者（ｃａｒｅｇｉｖｅｒ）に情報の入力を促すこと（３０８）。これについては、以下を含むことができる：課題の責任施術者に警告すること（例えば、オーダー・エントリ・インターフェース（１１０）を介して）。そして、以下を含むことができる：オーダーされた治療法に関する、施術者からの追加情報の入力を責任施術者に促すこと（例えば、欠失したデータコンポーネントに関することや、又は対立するデータコンポーネントに関する明確化に関すること）。別の実施形態では、情報を、責任ケア施術者（例えば、薬剤師、看護師等）から求めてもよく、オーダー・エントリ・インターフェース（１１０）以外の機構（例えば、薬品管理システム、電子的医療記録システム、又は他の適切なインターフェースなど）を介して求めてもよい。
【００５４】
前記促すこと（３０８）は、以下を含むことができる：治療法オーダーに関する追加情報を求めること、対立する情報の明確化を要求すること、又は治療法オーダーに対応する構成出力を準備するのに必要な情報を要求すること。従って、方法（３００）は、以下を含むことができる：責任施術者から情報を受け取ること（３１０）。一実施形態において、情報を受け取ること（３１０）は、構成出力を生成する（３１６）前に要求することができる。この点に関して、構成オーダーを生成する（３１６）前に、患者ケア装置（１４０）を設定するのに必要な全ての情報を得ることができる。従って、シナリオとして、管理施術者（１３０）が、構成出力中の設定データコンポーネントの欠陥に基づいて、記憶から値を入力したり、値を推測したり、又は、即興で入力したりするというシナリオを回避することができる。
【００５５】
方法（３００）は、また、データを、構成プロトコルに準拠した形式に変換すること（３１２）を含むことができる。設定データコンポーネントの形式は、複数の属性に対応してもよい（例えば、測定単位、略語の使用、用語法等）。この点に関して、前記変換すること（３１２）は、以下を含むことができる：情報を、治療法オーダーから、ある形式へ変更することであり、該形式は、識別された患者ケア装置（１４０）の構成プロトコルに直接対応する形式である。例えば、一部の治療法情報は、以下を含むことができる：構成プロトコルで使用される測定単位設計とは異なる測定単位で記載された情報。伝統的には、管理施術者（１３０）は、こうした変換を手動で行うよう要求される可能性があり、オーダーの測定単位と患者ケア装置の構成プロトコル（１４０）で使用される測定単位との間の食い違いを較正する可能性がある。理解できるかもしれないが、こうした手動での変換は、エラーを伴う可能性がある。更に言えば、治療法オーダーと構成プロトコルとの間で異なる用語が用いられると、結果として、管理施術者が混乱したり、又はデータを転記ミスする可能性がある。しかし、構成出力ジェネレーター（１２０）は、自動的に前記変換（３１２）を実行することができ、その結果、得られる構成出力内に表示されるデータは構成プロトコルの形式に準拠することとなる。情報の形式の変換（３１２）に関する他の例については、図４及び５を参照しながら、この後更に詳しく説明する。
【００５６】
また、方法（３００）は、構成出力内の情報をアレンジすること（３１４）、そして、構成プロトコルのデータ入力シーケンスに対応付けることを含むことができる。即ち、構成プロトコルはデータ入力シーケンスを有してもよく（例えば、構成プロトコルの設定データコンポーネントの入力のシーケンスに対応する）、これは、特定の順序で提供される。治療法オーダーは少なくとも一部の情報を有してもよく、該情報は、アレンジされず、且つ構成プロトコルのデータ入力シーケンスに対応する。従って、従来のアプローチでは、管理施術者（１３０）は以下の事を要求される可能性がある：治療法オーダーを検索して、以下のところから適切な治療法情報を見つけること：治療法オーダーに関しての複数の可能性のあるところ及び／又は構成プロトコルのデータ入力シーケンスとは異なるオーダーにおける治療法オーダー。理解できるかもしれないが、こうしたことは、管理施術者（１３０）に対して以下の結果をもたらす可能性がある：誤読、構成プロトコルのデータ入力シーケンスに対応しない治療法情報をシーケンス中に入力すること、記憶から治療法情報を入力すること、又は間違い。従って、不正確な値を入力することとなる。しかし、方法（３００）において、構成出力中の情報を構成プロトコルのデータ入力シーケンスと対応してアレンジすることができるため、管理施術者（１３０）は構成プロトコルに関する情報を連続して入力することができ、その態様としては、施術者が単純に構成出力のデータ入力シーケンスに従うことを可能にする。これにより、管理施術者（１３０）が、正確且つ厳密に値を構成出力から患者ケア装置（１４０）に転記することを補助することができる。
【００５７】
更に言えば、方法（３００）は、以下を含むことができる：構成出力を生成すること（３１６）。前記生成すること（３１６）は、以下を含むことができる：構成出力を任意の適切な形式で（印刷、電子的、又はその他）、準備すること。コードを含む構成出力に関連する以降の説明に更に関連して理解されるであろうが、後述する構成出力の生成は本明細書に記載の任意の構成出力に適用できる可能性がある。この点に関して、前記生成すること（３１６）は、以下を含むことができる：構成出力を表示装置上に生成すること（即ち、構成オーダーのソフトコピーを準備すること）、構成出力のハードコピーを生成すること、及び／又は構成出力を機械読取可能データとして準備すること及び／又は構成出力を、任意の通信手段で電子的に送信するための電子フォーマットで生成すること。上述したように、構成出力は、患者ケア装置（１４０）へと通信することができる。この点に関して、構成出力のソフトコピー出力は、患者ケア装置（１４０）で表示することができる。
【００５８】
一実施形態において、前記生成すること（３１６）は、以下を含むことができる：ラベルを印刷することであって、該ラベルは、オーダーされた治療法を施す際に使用されるオブジェクトと関連する可能性がある。例えば、後で更に詳述するが、注入装置（２００）を用いて投与されるＩＶ流体（２５２）の文脈において、ラベル（２６２’）は、ＩＶ流体（２５２）用の容器（２５０）に取り付けることができる（例えば、図６参照）。従って、ラベル（２６２’）は、以下を含むことができる：患者ケア装置特有の構成出力及び／又はコードを含む構成出力。更に、前記生成すること（３１６）は、以下を含むことができる：患者ケア装置（１４０）に配信する目的及び／又は直接該装置が使用する目的に適した形式で、機械読取可能データを準備すること。この点に関して、前記生成すること（３１６）は、以下を含むことができる：コンピュータ読取可能データを生成することであり、前記データは、直接に患者ケア装置（１４０）に、患者ケア装置（１４０）を設定する目的で提供することができる。
【００５９】
上述したように、図３の方法（３００）は、以下の文脈で用いることができる：注入装置（２００）を用いてＩＶ流体（２５２）を患者に投与する目的で、構成出力を準備すること。図４〜７Ｅを参照しながら、１つのこうした例について、以下説明する。例えば、図４において、患者に投与するための、オーダーされた用量（例えば、ＩＶ流体）に対応する用量オーダー（４００）を受け取ることができる。以下の点を理解されたい：用量オーダー（４００）は、メモリに記憶されるデータ形式であってもよい。従って、ヒト可読形式で、図４において、用量オーダー（４００）を表示しているのは、例示目的であってもよい。
【００６０】
図４に示すように、用量オーダー（４００）は、以下を含むことができる：複数の部分の用量情報。これらの部分の用量情報は、以下を含むことができる：ＩＶ流体（２５２）及び／又はこれらの投与の属性。この点に関して、図４内の用量情報の部分は、以下を含むことができる：オーダー番号（４０２）、オーダー日付（４０４）、患者名（４０６）、ドラッグ名（４１０）、患者の場所（４１２）、オーダーした内科医（４１４）、及び用量（４１６）。しかし、以下の点を理解されたい：更に少ない、又は追加的の情報の部分を用量オーダー（４００）と共に提供できること、及び図４に示す特定の部分は、説明を目的としてものであり、限定することを目的としてものではない。従って、他の部分の情報（例えば、投与すべきＩＶ流体の追加属性を含む）を、限定されることなく、提供することができる。
【００６１】
構成出力ジェネレーター（１２０）は、用量オーダー（４００）を受け取ることができ、及び患者ケア装置特有の構成出力（５００）を生成することができる（例えば、方法（３００）に従って）。この点に関して、以下の点を決定することができる：即ち、用量オーダー（４００）に対応するＩＶ流体（２５２）を、図７Ａ〜７Ｅに示すタイプの注入装置（２００）で投与すること。この点に関して、図７Ａ〜７Ｅは、注入装置（２００）に関する所定の構成プロトコルの実施形態を描写することができる。注入装置（２００）の所定の構成プロトコルは、更に特定のデータ入力シーケンスを有することができ、ここで、注入装置（２００）を設定するための様々な設定データコンポーネントがユーザーから要求される。従って、図７Ａ〜７Ｅにおいて、各連続する図は、データ入力シーケンスにおいて、連続するＧＵＩ（２２０）状態を表すことができ、該シーケンスは、注入装置（２００）を設定するための所定の構成プロトコルの設定データコンポーネントを受け取るためのものである。この点に関して、図５に示す構成出力（５００）は、以下基づいて生成することができる：用量オーダー（４００）及び用量オーダー（４００）に記載された、ＩＶ流体（２５２）を投与する目的で使用するための患者ケア装置としての注入装置（２００）の識別。理解されるように、図４からの用量情報のいくつかの部分は、患者ケア装置特有の構成出力（５００）に持ち越すことができる（例えばオーダー番号（５０２）、オーダー日付（５０４）、患者名（５０６）、及びオーダーした内科医（５１４））。また、追加情報（例えば、治療法を施すために使用するための装置タイプ（５１５））を補足することができる。
【００６２】
更に、図６に示すように、構成出力（５００）は、以下を含むことができる：ラベル（２６２’）であって、投与するＩＶ流体（２５２）用の容器（２５０）に取り付けられる物。以下図９〜１１に関連して理解されるように、後で詳述する構成出力（９００）、（９００’）、及び（９００”）も図６に示すような容器（２５０）に取り付けることができる。あらゆる点に関して、ＩＶ流体（２５２）は、薬局で調製された調合ＩＶ流体混合物であってもよい。また、薬局では、構成出力ジェネレーター（１２０）を含むことができ、その結果、構成出力（５００）は、実質的にＩＶ流体（２５２）の調製と同時に生成される。従って、一旦、ＩＶ流体（２５２）が調製され、及び容器（２５０）内に配置されると、構成出力（５００）は、ラベル（２６２’）の形式で、ＩＶ流体（２５２）用の容器（２５０）に取り付けることができる。この点に関して、ラベル（２６２’）は、接着剤が背面に付着したラベルであってもよく、該ラベルは、薬局から容器（２５０）を分配する前に容器（２５０）に取り付けることができる。従って、ＩＶ流体（２５２）及び構成出力（５００）を含む容器（２５０）を、管理施術者（１３０）の元へ、患者に連続して投与する目的で集合的に配達することができる。
【００６３】
従って、構成プロトコルの初期化において、図７Ａに示すように、構成プロトコルは、以下を含むことができる：ＩＶ流体（２５２）を投与するケア領域の選択（例えば、該エリアは、ケア施設内の患者の場所に対応してもよい）。理解できるかもしれないが、用量オーダー（４００）は、患者の場所（４１２）を含むことができる。この点に関して、更に図５を参照すると、患者の場所（４１２）に関連する情報を、構成出力（５００）内の対応するケア領域データフィールド（５１２）に含める目的で変更することができる。例えば、用量オーダー（４００）に従って「ＬＯＣＡＴＩＯＮ」と記載するのではなく、構成出力（５００）は、患者の場所情報（４１２）のリストを変更して、ケア領域データフィールド（５１２）中に、「ＣＡＲＥ  ＡＲＥＡ」（ケア領域）と表示させ、該フィールドは、要求された入力に対応する（図７Ａに示すように）。この点に関して、患者の場所情報（４１２）の形式は変更することができる。更に、患者の場所（４１２）は、用量オーダー（４００）中で、「ＡＣＣ」という略語で表すことができる。構成出力（５００）のケア領域データフィールド（５１２）において、値は、「Ａｄｕｌｔ  Ｃｒｉｔｉｃａｌ  Ｃａｒｅ」に変更され、ＧＵＩ（２２０）の表示装置（２２２）に示す特定の入力に対応し（図７Ａに示すように）、こうして、更に患者の場所情報（４１２）の形式に変更する。この点に関して、管理施術者（１３０）は、注入装置（２００）のＧＵＩ（２２０）を用いて、「Ａｄｕｌｔ  Ｃｒｉｔｉｃａｌ  Ｃａｒｅ」を選択することができる。ケア領域の選択は、ＧＵＩ（２２０）に対して、図７Ｂに示す状態変化をもたらすことができる（例えば、構成プロトコルのデータ入力シーケンスを進める）。
【００６４】
図７Ｂにおいて、ＧＵＩ（２２０）は、投与するドラッグの名称の入力を、管理施術者（１３０）に対して促すことができる。用量オーダー（４００）からのドラッグ名（４１２）は、構成出力（５００）の中に含めることができる。図５で理解できるように、ドラッグ名情報（５１２）は、患者の場所情報（５１２）の後に直接連続して、表示されてもよい。その結果、ケア領域（５１２）及びドラッグ名（５１０）の配置が、注入装置（２００）のための構成プロトコルのデータ入力シーケンスに対応する。以下の点を留意されたい：即ち、こうした配置は、用量オーダー（４００）の配置と異なってよい。この点に関して、管理施術者（１３０）は、入力装置（２２４）を用いることができ、図７Ｃに示すように、構成出力（５００）上に提供されたドラッグ名（５１０）に基づいて、ドラッグ名を入力することができる。投与するドラッグを選択したら、ＧＵＩ（２２０）は、図７Ｄに示す状態に変化することができる（例えば、構成プロトコルのデータ入力シーケンスを進める）。
【００６５】
図７Ｄにおいて、注入装置（２００）で投与するドラッグの濃度は、ＧＵＩ（２００）を通して選択される。しかし、図４で理解できるように、投与するドラッグに関する濃度情報は、用量オーダー（４００）中に提示しなくてもよい。この点に関して、方法（３００）に関連する図３のところで説明したが、構成出力を生成する前に、濃度情報に対応する情報の入力を提供するよう、責任施術者に対して促すことができる。追加情報に関するこうした要求は、構成出力ジェネレーター（１２０）が以下の点を決定することに基づいてもよい：パラメーターは用量オーダー（４００）中には提示されないが、しかし、注入装置（２００）の構成プロトコル内に含まれる。この点に関して、以下の点を要求することができる：即ち、責任施術者が、構成出力（５００）を生成する前に、情報を提供すること。この場合、責任施術者は、以下の者であってもよい：オーダーした内科医、薬剤師、薬剤技術者（ｐｈａｒｍａｃｉｓｔ  ｔｅｃｈｎｉｃｉａｎ）、又は情報を提供できる他の責任施術者。例えば、こうした情報は、以下の理由から欠失する可能性がある：オーダーを行う施術者はこうした情報を提供する必要がない、又は該施術者が、利用可能な特定のドラッグ濃度に関するオプションを認識していない。例えば、こうした特定の例において、ドラッグの濃度は、他の因子によって決定されてもよい（例えばＩＶ流体（２５２）を調合する薬局内で利用可能な在庫、ＩＶ流体（２５２）を調合するのに使用される方法、又は他の因子（例えばＩＶ流体（２５２）を投与する目的で使用するための注入装置（２２０）のタイプ））。別の実施形態では、構成出力中の用量濃度（５１８）に対応する情報を、ＩＶ流体（２５２）の調合中に、自動的に集めてもよい（例えば、薬局ワークフロー・マネージメント・システムは、構成出力ジェネレーター（１２０）と動作可能に通信して、自動的に情報を構成出力ジェネレーター（１２０）に提供することができる）。あらゆる点に関して、ドラッグ濃度情報（５１８）は、構成出力（５００）上に提供することができ、その結果、管理施術者（１３０）は、適切な対応する選択肢を、図７Ｄに示すＧＵＩ（２２０）から選択することができる。
【００６６】
この点に関して、ＧＵＩ（２２０）は、図７Ｅに示す状態へと変化することができる（例えば、構成プロトコルのデータ入力シーケンスを進める）。ここで、管理施術者（１３０）に対して、以下に対応する設定データコンポーネントの入力を促すことができる：患者の体重（６０８）、用量（６１６）、用量投与速度（６２０）、及び注入体積（ＶＴＢＩ）（６２２）。理解できるかもしれないが、少なくとも一部の対応する部分のデータコンポーネント（用量（６１６）、用量投与速度（６２０）、及びＶＴＢＩ（６２２））は、構成出力（５００）上の対応するオーダー内に提供される。しかし、以下の点を理解されたい：即ち、患者の体重（５０８）に対応する情報は用量オーダー（４００）に提供されなかったという理由から、患者の体重（５０８）を責任施術者（例えば、医師、看護師、又は他の施術者）から上述した態様で受け取ることができる。或いは情報については、該情報を含む電子的医療記録（ＥＭＲ）サーバーが提供することができる。従って、構成出力ジェネレーター（１２０）は、患者情報が記憶されたデータストア（例えば、ＥＭＲサーバー）と動作可能に通信することができ、及び構成出力（５００）中に含まれる少なくとも一部のデータを自動的に受け取るように動作可能であってもよい。
【００６７】
あらゆる点に関して、用量オーダー（４００）及び構成出力（５００）に関する包括的なレビューから理解できるかもしれないが、図７Ｅに入力される値に対応する構成出力（５００）の部分のアレンジは、用量オーダー（４００）から構成出力（５００）まで、そのアレンジにおいて変更することができる。更に言えば、用量オーダー（４００）内に表示される用量情報（４１２）は、マイクログラム／キログラム／時間の測定単位で表される。しかし、図７Ｅで理解できるかもしれないが、注入装置（２００）に関する構成プロトコルは、管理施術者（１３０）に対して、こうした情報の入力を、マイクログラム／キログラム／分の測定単位で促す可能性がある。即ち、用量オーダー（４００）において使用される測定単位と、注入装置（２００）の設定に必要となる測定単位とで、食い違う可能性がある。従って、単位変換を用量情報（４１６）について行ってもよく、適切な単位変換を用量情報（４１６）について行うことにより、構成出力の用量情報（５１６）の形式を変更することができる。
【００６８】
更に理解できるかもしれないが、速度（５２０）及びＶＴＢＩ（５２２）に関する設定データコンポーネントは、用量オーダー（４００）中に提示しなくてもよい。こうした値は、用量オーダー（４００）及び／又は構成出力（５００）内に提示される他の値を用いた計算に基づいて提供されてもよく、並びにこうした値は、構成出力（５００）中に適切な準拠形式で提供することができる。例えば、描写した実施形態において、こうした値は、一旦、ドラッグ（５１８）の濃度が提供されたら、又は、構成出力ジェネレーター（１２０）により得られたら、導くことができる。以下の点を留意されたい：即ち、速度（５２０）及びＶＴＢＩ（５２２）に関する構成又はデータコンポーネントは、適切なオーダー及び形式（例えば、測定単位を含む）で提示され、これらは、注入装置（２００）の構成プロトコルのデータ入力シーケンスに対応する。
【００６９】
上記説明に加えて又は上記説明に代えて、構成出力の別の実施形態は、コードを含むことができる。後で更に詳述するが、コードを含む構成出力を使用することにより、患者ケア装置を設定する際に潜在的なエラーを減少させることを促進することができる。従って、図１に戻って参照すると、構成出力ジェネレーター（１２０）は、コードを含む構成出力を生成するように動作可能であってもよく、これについては後で更に詳述する。この点に関して、構成出力の生成（例えば、以下を含む：オーダーを受け取ることができる態様、構成出力を生成する態様、又は出力等）に概して関連する上記いずれかの説明は、上述した利用可能な実施形態のように、任意の後述する実施形態に適用可能であってもよい。
【００７０】
コードは、ユーザーが入力した設定データコンポーネントを確認するために用いることができ、又は、患者ケア装置を設定する目的で用いられる設定データコンポーネントを表すことができる。そこで、両方のアプローチに関する実施形態について以下説明する。また、別の観点において、コードをチェックすることができる。即ち、少なくとも一部のコード又は別のコード（例えば、チェック・コード）を提供することができ、これらのコードは、ユーザーが入力したコードを有効化するために用いることができる。従って、コードはセルフチェッキングであってもよく（例えば、統合チェック・コードを含む）又はチェック・コードを提供することができる（例えば、コードとは別に、又はコードの一部として（例えば、少なくとも１つのチェックディジット））。
【００７１】
図８に戻って、フローチャートは、以下の目的のための、プロセス（８００）の実施形態を描写している：コードを含む構成出力の生成及び患者ケア装置の構成（設定）におけるコードの使用。この点に関して、プロセス（８００）は、以下のうち１以上によって実行することができる：上述した図１に関するオーダー・エントリ・インターフェース（１１０）又は構成出力ジェネレーター（１２０）。即ち、少なくとも一部のプロセス（８００）は、コンピュータ−で自動化された態様で実行することができる。
【００７２】
プロセス（８００）は、以下を含むことができる：治療法オーダーを受け取ること（８０２）。この点に関して、前記受け取ること（８０２）は、以下を含むことができる：上述したオーダー・エントリ・インターフェース（１１０）に関連する任意の又は全ての詳細。例えば、一実施形態において、受け取った治療法オーダー（８０２）は、図４に関連して示し上述した用量の記載（４００）であってもよい。即ち、受け取った治療法オーダー（８０２）は、用量オーダー（４００）に対応してもよく、該オーダーは、は、注入装置（２００）（例えば、設定可能な注入ポンプ）を用いてＩＶ流体（２５２）を投与する形式で、治療法を記載する。しかし、以下の説明では用量オーダー（４００）について例示目的で言及する可能性があるが、以下の点を理解されたい：設定可能な患者ケア装置（１４０）（例えば、上述した）により施される任意の適切な治療法に対応する任意のタイプのオーダーを受け取ることができる（８０２）。
【００７３】
また、プロセス（８００）は、コードを生成することを含むことができ（８０４）、該生成は、少なくとも一部の治療法の記載（例えば、用量の記載（４００）に基づいてもよい。例えば、上述したように、用量オーダー（４００）は、以下を含むことができる：投与するＩＶ流体（２５２）の１以上の属性に、又はＩＶ流体の投与に関する１以上の属性に対応する１以上の部分の情報。即ち、用量オーダー（４００）は、以下に対応する部分の情報を含むことができる：オーダー番号（４０２）、オーダー日付（４０４）、患者名（４０６）、ドラッグ名（４１０）、患者の場所（４１２）、オーダーした内科医（４１４）、及び用量（４１６）。以下の点を理解されたい：更に少ない、又は追加の情報の部分を用量オーダー（４００）と共に提供できること、及び図４に示す特定の部分は、説明を目的としてものであり、限定することを目的としてのものではない。この点に関して、用量の記載（４００）の情報の１以上の部分（例えば、ＩＶ流体の属性に対応する情報の部分）を用いてコードを生成することができる。
【００７４】
一実施形態において、前記生成すること（８０４）は、以下を含むことができる：アルゴリズムを実行して、用量の記載（４００）の１以上の部分に少なくとも部分的に基づいて、コードを確立すること。従って、用量の記載（４００）の１以上の部分は、以下を含むことができる：コードによって確認可能な用量の記載（４００）のこれらの部分。以下の点を理解されたい：即ち、幾つかの例において、患者ケア装置（１４０）を設定する目的で用いるための用量オーダー（４００）からの情報の各部分はコードを用いて確認することができる。しかし、他の例において、患者ケア装置（１４０）を設定する目的で用いるための情報のうち、全ての部分よりも少ない部分はコードを用いて確認することができる。あらゆる点に関して、アルゴリズムの実行時に、コードを生成することができる（例えば、コンピュータ−により有効化（ａｎｉｍａｔｅｄ）される態様で）。得られたコードは対応するアルゴリズムによって繰り返すことができ、該アルゴリズムは、患者ケア装置（１４０）で実行可能であり、又は、該コードは、患者ケア装置（１４０）で解読することができ、これについては後で更に詳述する。一実施形態において、アルゴリズムの実行により得られるコードは、１以上のディジットを含むことができる。１以上のディジットは、以下を含むことができる：印刷可能なＡＳＣＩＩ文字（例えば、以下を含む：文字、数字、記号、又は他の印刷可能なＡＳＣＩＩ文字）。一実施形態において、コードは、以下を含むことができる：複数のアルファニューメリックディジット。
【００７５】
更に、プロセス（８００）は、任意で、チェック・コード生成すること（８０６）を含むことができる。上述したように、チェック・コードを、（８０４）で生成されたコードとは、別個に設けることができ、該コードの一部として設けることができ、又は（８０４）で生成されたコードの統合部分（ｉｎｔｅｇｒａｌ  ｐａｒｔ）を形成することができる。チェック・コード（８０６）は、１以上のディジットを含むことができ、該ディジットは、（８０４）で生成されたコードの１以上のディジットに少なくとも部分的に基づく。従って、コード及びチェック・コードのエントリ時に、チェック・コードを用いてコードを有効化することができ、該コードは、入力されて、コードが有効であると判定される（例えば、コードは管理施術者が正しく入力した）。従って、コードのエントリにおけるエラー（例えば、コード入力時の転記エラー）は、検出可能であってもよく、その結果、治療法を施す前にエラーの較正に取り組むことができる。
【００７６】
チェック・コードを、複数のアルゴリズムのうち任意の１以上を用いて生成することができ、該アルゴリズムは、少なくとも１つのチェックディジットを、ベースコードの内容に基づいて生成することができる。可能アルゴリズムの例として以下が含まれる：Ｍｏｄ−１０、Ｍｏｄ−１１、ＩＳＯ２８９４／ＡＮＳＩ４．１３、又はＪＴＣ１／ＳＣ１７コード。公知で任意の他の適切な方法又はアルゴリズムも用いることができる。チェック・コードを生成するためのアルゴリズムは、コードの一部を形成してもよく、又は入力されるコードに関して合格／不合格（「ｐａｓｓ／ｆａｉｌ」）設計を提供することができる１以上のチェックディジットを生成することができる。更に言えばアルゴリズムは、コードの状態のより洗練されたインジケーションを含むことができる。例えば、チェック・コードを生成するために用いられるアプローチ、及び／又はチェック・コードを用いてコードを有効化するために用いられるアプローチに依存して、追加情報（例えば入力されたコードに関するエラーのタイプ、エラーの場所、又は他の価値ある情報）を決定することができる。
【００７７】
あらゆる点に関して、プロセス（８００）は、以下を含むことができる：コード及びチェック・コードを出力すること（８０８）。例えば、前記出力すること（８０８）は、構成出力とともに、コード及びチェック・コードを含むことができる。従って、コード及びチェック・コードを含む構成出力は、上述したような任意の態様での出力であってもよい（例えば、ハードコピーラベルの印刷、ソフトコピーとしての構成出力の表示等）。あらゆる点に関して、コード及びチェック・コードを出力すること（８０８）は、以下を含むことができる：構成出力を、管理ケア施術者（１３０）に、患者ケア装置（１４０）の構成（設定）において使用するために配信すること。
【００７８】
従って、プロセス（８００）は、更に以下を含むことができる：患者ケア装置（１４０）において、コードを入力すること（８１０）及び、もし利用するのであれば、チェック・コードを入力すること（８１０）。この点に関して、前記入力すること（８１０）は、以下を含むことができる：上述したように、コード及びチェック・コードを、患者ケア装置（１４０）に、例えば、グラフィカル・ユーザー・インターフェース（２２０）を用いて転記すること。従って、前記入力すること（８１０）は、以下を含むことができる：管理施術者（１３０）が患者ケア装置（１４０）において手動でコード及びチェック・コードを入力すること（例えば、構成出力から転記するように）。
【００７９】
チェック・コードを用いる場合、患者ケア装置（１４０）において、コード及びチェック・コードを入力する際（８１０）、プロセス（８００）は、以下を含むことができる：入力されたコードを、チェック・コードに基づいて有効化（検証）すること（８１２）。上述したように、前記有効化すること（８１２）は、以下を含むことができる：対応するチェック・コードを生成するためのコードに関する対応するアルゴリズムを患者ケア装置（１４０）で実行すること。入力されるコードに関する対応チェック・コードを決定する時に、前記有効化すること（８１２）は、以下を含むことができる：決定された対応チェック・コードを、入力されたチェック・コードと比較して、以下の点を判定すること：決定された対応チェック・コード及び入力されたチェック・コードが対応するかどうか。或いは前記有効化すること（８１２）は、以下を含むことができる：チェック・コードを生成するために用いられるアルゴリズムと比べて、対応するが、異なるアルゴリズムを実行すること。この点に関して、対応するアルゴリズムは、入力されたコード及び／又は入力されたチェック・コードを解読するように動作可能であってもよく、入力されたコードが実際に正しく入力されたかどうかを（即ち、生成アルゴリズムの有効なコード／チェック・コードの組合せかどうか）判定することができる。この点に関して、チェック・コードを使用してコードを有効化する（８１２）ためのアルゴリズムの使用に対する任意のアプローチを、制限なく実行することができる。
【００８０】
前記有効化すること（８１２）の際に無効なコードが判定されたら、プロセス（８００）は、以下を含むことができる：コード及び／又はチェック・コードの再入力を促すこと（８１４）。前記促すこと（８１４）に応答してコード及び／又はチェック・コードの再入力をすると、プロセス（８１２）は、再入力されたコードを有効化すること（８１２）を再度含むことができる。このことは、有効なコードが入力されるまで継続することができる。
【００８１】
プロセス（８００）は、コードを用いることができる態様の複数の実施形態を含むことができる。この点に関して、後で概説するアプローチの一方又は両方（設定データコンポーネントの有効化又は設定データコンポーネント表示に対応する）を、プロセス（８００）の様々な実施形態において、個別に又は集合的に用いることができる。
【００８２】
従って、一実施形態において、プロセス（８００）は、以下を含むことができる：１以上の入力設定データコンポーネントの入力を確認すること（８１６）であって、該入力は、患者ケア装置（１４０）で受け取られる（例えば、管理施術者（１３０）によって転記される）。この点に関して、管理施術者（１３０）は、１以上の設定データコンポーネントを、（例えば、構成出力から）患者ケア装置（１４０）の設定のために入力することができる。そして、（８１８）で入力されたコード及び／又はチェック・コードを用いて、１以上の入力された設定データコンポーネントを確認することができる（８１４）。従って、患者ケア装置（１４０）は、以下を含むことができる：コードを生成する（８０４）際に使用されるアルゴリズムに対応する確認アルゴリズム。対応する確認アルゴリズムは、コードを生成する（８０４）際に用いられるアルゴリズムのコピーであってもよい。その結果、入力された設定データコンポーネントは、患者ケア装置（１４０）でのアルゴリズムに対する入力として使用され、及び得られたコードは入力されたコードと比較される。或いは対応するアルゴリズムは、入力されたコードを解読して、複数の値（例えば、予想された設定データコンポーネントの値）を提供することができ、これらは、入力された設定データコンポーネントと比較され、入力された設定データコンポーネントを確認する。
【００８３】
この点に関して、確認して（８１６）１以上の設定データコンポーネントが不正確であることが示された場合には、プロセス（８００）は、以下を含むことができる：１以上の設定データコンポーネント及び／又はコードの再入力を促すこと（８１８）。そうでない場合には、プロセス（８００）を継続させることができ、及び、入力された設定データコンポーネントで設定された通り、患者ケア装置（１４０）によって治療法を施すこと（８２２）ができる。
【００８４】
プロセス（８００）の別の実施形態では、コードは、以下を表すことができる：患者ケア装置（１４０）を設定する際に使用するための１以上の設定データコンポーネント。この点に関して、コードのエントリは、１以上の対応する設定データコンポーネントの手動でのエントリに代えて、患者ケア装置（１４０）を設定するために用いることができる。例えば、患者ケア装置（１４０）には、ロジックを提供することができ（例えば、コードを受け取る前に）、１以上の設定データコンポーネントを示す入力されたコードを解読することができる。患者ケア装置は、コードからの解読された情報を用いて、設定データコンポーネントを得ることができ、該コンポーネントは、患者に対して治療法を施すための患者ケア装置を設定する際に使用するためのものである。
【００８５】
ある実施において、解読された情報は、予め記憶された治療法データを示すことができ、これは、治療法を施すための患者ケア装置を設定するために使用するためのものである。即ち、コードは、予め記憶された治療法データセットの一部を示すことができ、該セットは入力されたコードに基づいてアクセスすることができる。後に更に詳述するが、コードは、以下を含むことができる：患者ケア装置（１４０）に記憶され又は該装置がアクセスするマスタ・ドラッグ・ライブラリ（ＭＤＬ）の一部を示すもの。この点に関して、コードを用いて適切なエントリをＭＤＬ中に配置することができ、該エントリは、以下を含むことができる：患者ケア装置（１４０）を設定する際に使用するための１以上の設定データコンポーネント。従って、コードのエントリ及びコードに基づいて予め記憶された治療法データセットから設定データコンポーネントを検索する際に、プロセス（８００）は、以下を含むことができる：検索された設定データコンポーネントに少なくとも部分的に基づいて、治療法を施すこと（８２２）。
【００８６】
ある実施において、コードからの解読された情報は、それ自体、患者ケア装置を設定する際に使用するための１以上の設定データコンポーネントを含むことができる。即ち、コードを解読した際、患者ケア装置（１４０）は、入力されたコードによってエンコードされた設定データコンポーネントを判定することができる。
【００８７】
別の観点において、与えられたロジックは、患者ケア装置において、以下を含むことができる：入力されたコードを解読するための適切なアルゴリズム。即ち、患者ケア装置には、コードを解読することと関連する機能を実行することを目的として、こうしたロジックを、コードを受け取る前に提供してもよい。従って、例えば、設定データコンポーネントを直接コードから解読することができる実施形態において、対応するアルゴリズムを含む予め設定された患者ケア装置は、たとえ予め記憶された治療法データセットが無くても、設定データコンポーネントを得ることができる。
【００８８】
理解できるかもしれないが、上記アプローチのいずれか一方又は両方を用いることができる。即ち、入力された設定データコンポーネントを確認するコード及び／又は設定データコンポーネントを示すコードを提供することができる。両方のアプローチを促進した場合、確認された及び示された設定データコンポーネントはオーバーラップする可能性がある。その結果、少なくとも幾つかの設定データコンポーネントは、両方ともコードによって確認され、及びコードによって示される。更に言えば又はこれに代えてある設定データコンポーネントは、コードによって確認されてもよく、及び他の設定データコンポーネントは、コードによって示されてもよい。
【００８９】
幾つかの実施形態において、患者ケア装置（１４０）には、以下の判定のために、ロジックを提供することができ、及び／又は設計可能であってもよい：１以上のコード（複数可）の入力（本明細書に記載の構成出力において生成及び／又は提供することができるが）が以下のために必要かどうか：患者ケア装置（１４０）を、所与の意図された操作（例えば、投与手順）に関して設定又は可能にすること。例えば、患者ケア装置（１４０）を設定することができ、その結果、ある特定の予め決定可能な使用において、コード入力を必要とし、その一方で、他の予め決定可能な使用コード入力を必要としない。
【００９０】
上記の観点から、図９〜１１は、異なる例を描写しており、これらは、概して、構成出力の例に対応し、該出力は、少なくとも１つのコードを有しており、該コードは、患者ケア装置の構成（設定）のために使用されるためのものであり、該構成（設定）は、図８に関連して上述した実施形態のうち少なくとも１つに従う。図９〜１１は、各々、概して、様々な構成出力に対応し、該出力は、図４に示す用量オーダー（４００）に基づいて生成される。しかし、以下の点を理解されたい：図９〜１１で説明した特徴は、概して、本明細書に記載の任意の種類の患者ケア装置（１３０）の構成のための任意の治療法オーダーに適用可能であってもよい。
【００９１】
図９に関連して、構成出力（９００）は、第一部分（９０２）を含むことができる。図９において理解できるかもしれないが、第一部分（９０２）は、用量の記載（４００）のある部分に少なくとも部分的に基づいて生成される。例えば、第一部分（９０２）は、以下を含むことができる：図５において上述したように、設定データ５０８−５１２及び５１８−５２２の部分。この点に関して、以下の点を理解されたい：構成出力（９００）の第一部分（９０２）は、以下を含むことができる：プレーンテキスト値であって、該値は、以下に対応する：用量の記載（４００）に基づく設定データコンポーネント。例えば、図示するように、第一部分（９０２）は、以下を含むことができる：用量の記載（４００）からの１以上の正確な値。
【００９２】
更に、一実施形態において、プレーンテキスト値は、患者ケア装置特有のデータであってもよく、該データは、患者ケア装置特有の構成出力に関連する上記記載に従って提示され、前記出力は、少なくとも部分的に、以下に基づく：少なくとも一部の各々の対応する治療法の記載及び識別された患者ケア装置（１４０）の所定の構成プロトコル。しかし、以下の点も理解されたい：即ち、第一部分（９０２）は、用量の記載（４００）に基づく設定データを、任意の他の適切な態様で提示することができ、そして、上述した教示内容を組み込む必要がない。
【００９３】
構成出力（９００）は、第二部分（９０４）を含むことができる。第二部分（９０４）は、コード（９０６）を含むことができる。コード（９０６）は、第一部分（９０２）における設定データ（９０２）の１以上の値に基づいてもよい。この点に関して、コード（９０６）は、構成出力（９００）内の第一のコードであってもよく、なぜなら、コードは、第一部分（９０２）に基づいて、少なくとも部分的に生成されるからである。この点に関して、コード（９０６）は、上述したように、以下の方法によって生成することができる：アルゴリズムを、第一部分（９０２）に提示された１以上の設定データコンポーネントに適用すること。この点に関して、第一部分（９０２）は、以下に基づいてもよい：用量の記載（４００）並びに設定可能な患者ケア装置（１４０）（例えば、設定可能な注入ポンプ）の構成プロトコル。あらゆる点に関して、コード（９０６）は、第一部分（９０２）に基づいてもよく、その結果、コード（９０６）を使用して、以下の点を確認することができる：第一部分（９０２）からの１以上の入力された設定データコンポーネントの正確な入力（例えば、転記）。
【００９４】
一実施形態において、第一部分（９０２）は、設定データを含むことができ、該データは、患者ケア装置（１４０）に関する構成プロトコルの各データコンポーネントに対応する。従って、コード（９０６）は、以下を確認するよう動作可能であってもよい：患者ケア装置（１４０）で入力される設定データの全てのコンポーネントの正確な入力。上述したように、これについては、以下を含むことができる：対応するアルゴリズムを患者ケア装置（１３０）で実行して、独立してコードを生成すること（該コードは、入力されたコードと比較される）；または入力されるコードを解読して、入力されたコードを確認すること（該コードは、第一部分（９０２）の設定データに対応する）。
【００９５】
また、図１０に描写された構成出力（９００’）の一実施形態において、構成出力（９００’）は、チェック・コード（９０８）を含むことができる。この点に関して、構成出力（９００’）は、第一部分（９０２）を含むこともできる。第一部分（９０２）は、第一パーツ（９０３）を含むことができる。第一パーツ（９０３）は、プレーンテキスト値を含むことができ、該値は以下に対応する：用量の記載（４００）、及び／又は、図９の構成出力（９００）に関連して上述した患者ケア装置の構成プロトコル。第一部分（９０２）は、また、第二パーツ（９０７）を含むことができ、該パーツはコード（９０６）を含む。コード（９０６）は、構成出力（９００’）内の第二のコードであってもよく、なぜならばコードは、少なくとも部分的に一部の治療法（例えば、用量オーダー（４００））の記載に基づくからである。即ち、コード（９０６）は、第一パーツ（９０３）の値に基づいてもよい。従って、コード（９０６）を構成装置で用いて、第一パーツ（９０３）からの１以上の設定データの正確な入力を、上述したように確認することができる。
【００９６】
また、構成出力（９００’）は、第二部分（９０４）を含むことができる。また、第二部分（９０４）は、別のコード（例えば、チェック・コード（９０８））を含むことができる。チェック・コード（９０８）は、構成出力（９００’）内の第一のコードであってもよく、なぜなら、コードは、第一部分（９０２）に基づいて、少なくとも部分的に生成されるからである。即ち、チェック・コード（９０８）は、コード（９０６）に基づいて少なくとも部分的に生成することができ、該コードは、第一部分（９０２）の設定データコンポーネントの正確な入力を確認するために使用される。即ち、チェック・コード（９０８）は、第一部分（９０２）のコード（９０６）に基づいて生成することができる。この点に関して、管理ケア施術者（１３０）は、患者ケア装置（１４０）において、１以上の値を、第一パーツ（９０２）のプレーンテキスト値から入力することができる。また、管理ケア施術者（１３０）は、患者ケア装置（１４０）において、コード（９０６）及びチェック・コード（９０８）を入力することができる。従って、患者ケア装置（１４０）は、入力された設定データの値を、コード（９０６）に基づいて、確認するよう動作可能であってもよい。更に、コード（９０６）は、チェック・コード（９０８）に基づいて有効化されてもよく、該有効化は、コード（９０６）を、チェック・コード（９０８）と関連付けてチェックすることによる。別のチェック・コード（９０８）を図１０に示すが、以下の点を理解されたい：チェック・コード（９０８）は、コード（９０６）の１以上の追加的ディジットとして提供されてもよく、及び／又はコード（９０６）の１以上のディジットに統合されてもよい。
【００９７】
更に図１１を参照すると、構成出力（９００”）の実施形態が示されている。構成出力（９００”）は、第一部分（９０２）を含むことができる。第一部分（９０２）は、少なくとも一部のコード（９０６）を含むことができ、該コードは、少なくとも部分的に用量オーダー（４００）に基づく。この点に関して、コード（９０６）は、構成出力（９００’’）内の第二のコードであってもよく、なぜなら、コードは、治療法の記載（例えば、用量オーダー（４００））に基づいて少なくとも部分的に生成されるからである。例えば、第一部分（９０２）は、アルゴリズムの実行時に生成することができ、該アルゴリズムは、上述したように、用量オーダー（４００）からの１以上の情報の値に適用される。構成出力（９００”）は、第二部分（９０４）を含むことができ、該部分は、少なくとも部分的に第一部分（９０２）に基づく。例えば、第二部分（９０４）は、チェック・コード（９０８）（例えば、コード（９０６）の少なくとも１つのディジットを含む）を含むことができ、第一部分（９０２）のコード部分に基づいて生成される。この点に関して、チェック・コード（９０８）は、構成出力（９００”）中の第一のコードであってもよく、なぜなら、コードは、第一部分（９０２）に基づいて、少なくとも部分的に生成されるからである。即ち、チェック・コード（９０８）は、構成出力（９００”）の第一部分（９０２）の第二のコードに基づいて（９０６）、少なくとも部分的に生成することができる。従って、第二部分（９０４）は、第一部分及び第二部分（９０２）及び（９０４）を含むコード（９０６）を有効化するために使用することができる。以下の点を理解されたい：構成出力（９００”）は、設定データコンポーネントに対応するプレーンテキスト値を含まなくてもよい。従って、図１１に示す構成出力（９００”）において、第一部分（９０２）は、１以上の設定データコンポーネントを表すことができる。即ち、設定データコンポーネントを管理施術者（１３０）が入力するというよりは、管理施術者（１３０）はコード（９０６）（例えば、第一部分（９０２）及び第二部分（９０４）を含む）を入力することができる。上述したように、第二部分（９０４）（例えば、チェック・コード）は、第一部分（９０２）を有効化するために使用することができる。そして、第一部分（９０２）は、患者ケア装置（１４０）に対して、患者ケア装置（１４０）を設定する目的で用いるための１以上の設定データコンポーネントを提示することができ、該提示は、以下目的とすることができる：治療法を、治療法オーダー（例えば、用量オーダー（４００）に記載されたＩＶ流体（２５２）を投与すること）に従って施すこと。この点に関して、１以上の設定データコンポーネントは、予め記憶された治療法セットから検索することができ、該セットは、患者ケア装置（１４０）がアクセス可能である。
【００９８】
例えば、患者ケア装置（１４０）は、マスタ・ドラッグ・ライブラリＭＤＬ（１２００）にアクセスすることができる（例えば、図１２に示すように）。ＭＤＬ（１２００）は、患者ケア装置（１４０）においてローカルのメモリに記憶することができ、又はＭＤＬ（１２００）は、ネットワーク（例えば、ローカル・エリア・ネットワーク、ワイド・エリア・ネットワーク、無線ネットワーク等）の手段で、患者ケア装置（１４０）がアクセスすることができる。あらゆる点に関して、ＭＤＬ（１２００）は、複数の行（１２０２）を含むことができる。各行（１２０２）（例えば、行００〜行Ｎ）は、１以上の設定データコンポーネントを含むことができる。例えば、図示するように、各行は、以下に対応するデータを含むことができる：ケア領域（１２１２）、投与するドラッグ（１２１０）、濃度（１２１８）、用量（１２１６）、速度（１２２０）、及びＶＴＢＩ（１２２２）。この点に関して、以下の点を理解されたい：患者ケア装置（１４０）を設定する目的で用いるための少なくとも幾つかの設定データコンポーネントは、各対応する１つの行（１２０２）に提供することができる。従って、コード（９０６）は、患者ケア装置（１４０）が、ＭＤＬ（１２００）中の行（１２０２）に対する表示として、解釈することができる。例えば、用量の記載（４００）に関連して、構成出力（９００”）のコード（９０６）は、患者ケア装置（１４０）に対して以下の点を示すことができる：ＭＤＬ（１２００）の行（４６）（図１２中矢印（１２０４）で示すように）は、患者ケア装置（１４０）を設定する事を目的として、１以上の適切な設定データコンポーネントが行（４６）からリターンされるように使用すべきである。
【００９９】
理解できるかもしれないが、幾つかの設定データコンポーネントは、受け取ったデータ（例えば、患者の体重）に依存することができる。この点に関して、速度（１２２０）及びＶＴＢＩ（１２２２）（患者の体重に関連する可能性がある）に関する値は、ＭＤＬ（１２００）の行（１２０２）において明示的な値でなくてもよい。従って、ある実施においては、速度（１２２０）及びＶＴＢＩ（１２２２）に関する値は、管理施術者（１３０）から要求されてもよい。これに代えて、又は、更に言えば、関連する値（例えば、患者の体重）は、管理施術者（１３０）から要求されてもよく、その結果、速度（１２２０）及びＶＴＢＩ（１２２２）に関する値は自動的に計算される。この点に関して、速度（１２２０）及びＶＴＢＩ（１２２２）に関するフィールドは、１以上の他の値（例えば、患者の体重等）に基づく式を含むことができる。更に、特定の値又は式のほかに、ＭＤＬ（１２００）中の行（１２０２）は、以下を含むことができる：許容範囲（例えば、速度（１２２０）及びＶＴＢＩ（１２２２）に関するもの）（該範囲は、入力された値が許容範囲内であるかどうかを判定するのに用いることができる）。
【０１００】
図８に戻って参照すると、１以上の設定データコンポーネントを確認及び／又は示すために用いられるコードは、複数の予め決定可能なコードのうちの１つであってもよく、該コードは、プロセス（８００）の生成するステップ（８０４）において生成することができる。即ち、例えば、アルゴリズムが前記生成するステップ（８０４）で用いられる一実施形態において、アルゴリズムは、複数の異なるコードを生成するように動作可能であってもよい。これら異なるコードは、同一の入力に対応してもよい。例えば、たとえ、２つの同一の治療法オーダーを受け取ったとしても（例えば、２人の異なる患者に施すもの）、前記生成すること（８０４）は、以下を含むことができる：同一の治療法オーダーに関する異なるコードを生成すること。この点に関して、後に更に詳述するが、複数の予め決定可能なコードの異なるオーダーは、治療法オーダーに関連する記録を追跡又は維持するために、少なくとも部分的に使用することができる。
【０１０１】
例えば、一実施形態において、複数の予め決定可能なコードのうちの各々の１つは複数の期間のうちの異なる１つとの対応する関係において、生成可能であってもよい。即ち、前記生成すること（８０４）において使用されるアルゴリズムの例を続行させ、アルゴリズムは、複数の異なる予め決定可能なコード（例えば、同一の入力についてさえも）を、複数の期間のうちの１つにおいて生成するように動作可能であってもよい。これら複数の予め決定可能なコードのうちの各々１つは、複数の期間のうち異なる１つに対応することができる。例えば、所与の期間について、複数のコードのうちの所与の１つを、前記期間中に一回のみ生成することができる。前記期間の判定については、所与の時間間隔に基づいてもよく（例えば、２時間、４時間、８時間等）、又は複数のドーズの発生（例えば、５，０００ドーズ、１０，０００ドーズ、２０，０００ドーズ等）に基づいてもよい。更に、異なる期間の根拠は、複数の期間のうち異なるもの同士の間で異なってもよい（例えば、幾つかの期間は、時間間隔に基づいてもよく、一方で、他の期間は、複数のドーズに基づいてもよい）。期間の根拠の違いに関わらず、任意の所与の期間中に発生する各コードはユニークなものであってもよい。
【０１０２】
従って、期間中、コードを用いて対応する治療法オーダーを追跡することができる。例えば、患者ケア装置においてコードが入力された際に、患者ケア装置は、通信して、他のパラメーターと対応する関係を記憶するためのコードを受け取るように動作可能であってもよい。これら他のパラメーターは、例えば、以下を含むことができる：患者ケア装置に関する識別情報、患者情報、場所情報等。従って、通信して、コードを、例えば、患者ケア装置情報とともに、受け取ることにより、前記コードを、以下に関連づけるために使用することができる：患者のアイデンティティ、治療法の詳細、及び治療法を施すために使用される患者ケア装置。例えば、これについては、データベース中に情報を記憶することを含むことができ、該情報は、ローカルに又はリモートで、患者ケア装置から記憶される。一実施形態において、データベースは、以下を含むことができる：医療記録データベース（例えば、電子的医療記録（ＥＭＲ））データベース。
【０１０３】
図面及び上記説明において、本発明について、例示及び詳細な説明を行ってきたが、こうした例示及び説明は、例示的なものとして考えるべきであり、特徴を限定するものではない。例えば、上述したある特定の実施形態は、他の説明した実施形態及び／又は他の方法でアレンジしたものと組み合わせてもよい（例えば、プロセス要素は、他のシーケンスで実行できる）。従って、以下の点を理解されたい：即ち、好ましい実施形態及びこれらの変更を図示し及び説明したに過ぎないのであって、本発明の思想に入る全ての変更及び修正は保護されることを企図する。
本発明は一側面において以下の発明を包含する。
（発明１）
患者ケア装置（１４０）を用いて患者に施すための治療法に対応する治療法オーダーに関する構成出力の生成のための方法であって、以下のステップを含む方法：
治療法オーダーを受け取るステップ（３０２）であって、該オーダーは、治療法の記載を含み、該記載は患者に施すための治療法に対応する、該ステップ；
前記治療法を施すための前記患者ケア装置（１４０）の設定において使用するための前記治療法オーダーのための構成出力（９００；９００’；９００”）を生成するステップ（３１６）；
ここで、前記構成出力（９００；９００’；９００”）の少なくとも第一部分（９０４）は、第一パーツを含み、該パーツは、一部の前記治療法の記載に基づいて、少なくとも部分的に生成され；及び
ここで、前記構成出力（９００；９００’；９００”）の第二部分（９０４）は、第一のコードを含み、該コードは、前記第一部分（９０２）に基づいて少なくとも部分的に生成される、該方法。
（発明２）
発明１に記載の方法であって、生成ステップ（３１６）は、コンピュータ−で自動化された態様で、少なくとも部分的に完了する、該方法。
（発明３）
発明１又は発明２に記載の方法であって、前記治療法は、ＩＶ流体（２５２）を、患者に、注入装置（２００）を用いて投与することを含む、該方法。
（発明４）
発明３に記載の方法であって、前記治療法オーダーは用量オーダーを含み、該オーダーは、投与する前記ＩＶ流体（２５２）に対応する用量の記載を含む、該方法。
（発明５）
発明４に記載の方法であって、前記用量の記載は、投与する前記ＩＶ流体（２５２）の１以上の属性を含む、該方法。
（発明６）
発明１〜５のうちいずれか１つの方法であって、前記第一部分（９０２）は、前記患者ケア装置（１４０）の少なくとも一部の構成プロトコルに少なくとも部分的に基づく、該方法。
（発明７）
発明１〜６のうちいずれか１つに記載の方法であって、前記第一部分（９０２）は第二のコードを含む、該方法。
（発明８）
発明７に記載の方法であって、前記第二のコードが一部の治療法の記載に基づいて、少なくとも部分的に生成される、該方法。
（発明９）
発明７又は発明８に記載の方法であって、前記第一のコードは、前記第二のコードに基づいて、少なくとも部分的に生成される、該方法。
（発明１０）
発明１〜９のうちいずれか１つに記載の方法であって、第一パーツは、プレーンテキスト値を含み、前記値は、前記患者ケア装置（１４０）の前記構成プロトコルに対応する、該方法。
（発明１１）
発明１〜１０のうちいずれか１つに記載の方法であって、前記構成プロトコルは、１以上の設定データ入力コンポーネントを含む、該方法。
（発明１２）
発明７〜１１のうちいずれか１つに記載の方法であって、前記第一部分は、第二パーツを含み、該パーツは、前記第二のコードを含む、該方法。
（発明１３）
発明７〜１２のうちいずれか１つに記載の方法であって、前記第一のコード及び前記第二のコードのうち各々１つは、１以上のヒト読取可能なディジットを含み、該ディジットは、ＡＳＣＩＩ印刷可能文字を含む、該方法。
（発明１４）
発明７〜１３のうちいずれか１つに記載の方法であって、前記第二のコードは、前記対応する治療法の記載を表す、該方法。
（発明１５）
発明１４に記載の方法であって、前記第二のコードは、前記患者ケア装置（１４０）において予め記憶された治療法データセットを示し、該データセットは、前記対応する治療法の記載に対応する、該方法。
（発明１６）
発明１〜１５のうちいずれか１つに記載の方法であって、更に以下のステップを含む方法：
前記患者に前記治療法を施すために使用するための患者ケア装置（１４０）を識別するステップ（３０４）であって、前記患者ケア装置（１４０）は、治療法を施すための、少なくとも１つの所定の構成プロトコルを有する、該ステップ；
ここで、前記第一部分は、前記治療法の記載及び前記所定の構成プロトコルの各々の少なくとも一部に少なくとも部分的に基づく。
（発明１７）
発明１６に記載の方法であって、前記第一部分は、少なくとも部分的に以下に対応する該方法：前記所定の構成プロトコルの１以上の設定データコンポーネント、所定の構成プロトコルのデータ入力シーケンス、及び少なくとも１つの構成パラメーター形式の前記所定の構成プロトコル。
（発明１８）
発明６〜１７のうちいずれか１つに記載の方法であって、構成プロトコルは、以下のタイプのデータのうち少なくとも１つを含む、該方法：
患者ケア施設内での前記患者の場所を表すデータ；
所定の複数の治療法のタイプのうちの１つを表すデータ；
少なくとも１つのドラッグを表すデータ；
治療濃度を表すデータ；
投与速度を表すデータ；及び
投与量を表すデータ。
（発明１９）
発明６〜１８のうちいずれか１つに記載の方法であって、前記第一部分は、プレーンテキスト値を含み、該値は、前記患者ケア装置（１４０）の前記構成プロトコルに対応する、該方法。
（発明２０）
発明７〜１９のうちいずれか１つに記載の方法であって、所与の治療法の記載のため、複数の予め決定可能な第二のコードのうちの１つが、前記生成ステップ（３１６）において生成可能である、該方法。
（発明２１）
発明２０に記載の方法であって、前記複数の予め決定可能な第二のコードが各々異なる、該方法。
（発明２２）
発明２０又は発明２１に記載の方法であって、前記複数の予め決定可能な第二のコードのうちの各々１つが、複数の期間のうちの異なる１つとの対応する関係において、生成可能である、該方法。
（発明２３）
発明２２に記載の方法であって、前記複数の期間が、定義された数のドーズと対応する、該方法。
（発明２４）
発明２２又は発明２３に記載の方法であって、前記複数の期間のうち所与の１つの間、前記複数の予め決定可能な第二のコードのうち１つは、治療法オーダーとの対応する関係において生成可能である、該方法。
（発明２５）
発明２０〜２４のうちいずれか１つに記載の方法であって、前記治療法オーダーが患者に対応し、及び前記複数の予め決定可能な第二のコードのうち１つは、前記患者と対応する関係で記憶される、該方法。
（発明２６）
発明２５に記載の方法であって、前記複数の予め決定可能な第二のコードのうち１つは、前記患者ケア装置（１４０）から受け取り可能であり、前記装置は、前記治療法を前記患者に施すために使用され、及び前記治療法を前記患者に施すために使用される前記患者ケア装置（１４０）に関連するデータは、前記患者に対応する関係で記憶される、該方法。
（発明２７）
発明１〜２６のうちいずれか１つに記載の方法であって、前記第一部分及び前記第一のコードは、前記患者ケア装置（１４０）において、ユーザーが入力する、該方法。
（発明２８）
発明２７に記載の方法であって、前記第一部分は、前記患者ケア装置（１４０）の構成プロトコルに対応し、及び前記第一のコードは、前記患者ケア装置（１４０）において、前記ユーザーが入力した前記第一部分を確認するために用いられる、該方法。
（発明２９）
発明２７又は発明２８に記載の方法であって、前記第一部分は第二のコードを含み、及び前記第一のコードは、前記患者ケア装置（１４０）において、前記ユーザーが入力した前記第二のコードを有効化するために使用される、該方法。
（発明３０）
発明２９に記載の方法であって、前記第一のコード及び前記第二のコードは、１以上のＡＳＣＩＩ印刷可能文字を含む、該方法。
（発明３１）
発明３０に記載の方法であって、前記第一のコード及び前記第二のコードは、アルファニューメリックコードを含む、該方法。
（発明３２）
発明１〜３１のうちいずれか１つに記載の方法であって、更に以下のステップを含む、該方法：
前記構成出力を含むラベル（２６２；２６２’）を生成するステップ；及び
前記ラベル（２６２；２６２’）を、前記ＩＶ流体（２５２）を含有する容器（２５０）に取り付けるステップ。
（発明３３）
発明１〜３２のうちいずれか１つに記載の方法であって、治療法の記載に対応するデータは、前記第一のコードを生成するために用いるアルゴリズムに関する入力を含む、該方法。
（発明３４）
発明３３に記載の方法であって、対応するアルゴリズムが、前記患者ケア装置（１４０）に記憶される、該方法。
（発明３５）
発明３３又は発明３４に記載の方法であって、前記対応するアルゴリズムは、前記第一部分の分析のための前記第一のコードとの比較のための比較コードを生成するように動作可能である、該方法。
（発明３６）
発明３３又は発明３４に記載の方法であって、前記対応するアルゴリズムは、前記第一部分の分析のための前記第一のコードを解読するように動作可能である、該方法。
（発明３７）
構成出力を生成するためのシステムであって、以下を含む、システム：
オーダー・エントリ・インターフェース（１１０）であって、該インターフェースは、治療法オーダーを受け取るように動作可能であり、該オーダーは、少なくとも一部の治療法の記載を含み、該記載は、患者ケア装置（１４０）を用いて患者に施すための治療法に対応する、該インターフェース；並びに
構成出力ジェネレーター（１２０）であって、前記オーダー・エントリ・インターフェース（１１０）と動作可能に通信する、該ジェネレーター；並びに
構成出力であって、前記構成出力ジェネレーター（１２０）によって生成され、以下を含む、該構成出力：
第一部分であって、第一パーツを含み、該パーツは、一部の前記治療法の記載に基づいて、少なくとも部分的に生成される、該部分、及び
第二部分であって、第二パーツを含み、該パーツは、前記第一部分に基づいて少なくとも部分的に生成される、該部分。
（発明３８）
発明３７に記載のシステムであって、更に以下を含む、システム：
患者ケア装置（１４０）であって、ユーザーによる手動エントリにより、前記第一部分及び前記第二部分を受け取るための、ユーザー・インターフェースを有する該装置。
（発明３９）
発明３７又は発明３８に記載のシステムであって、前記治療法は、ＩＶ流体（２５２）を患者に前記患者ケア装置（１４０）を用いて投与することを含む、該システム。
（発明４０）
発明３８又は発明３９に記載のシステムであって、前記患者ケア装置（１４０）は注入ポンプを含む、該システム。
（発明４１）
発明４０に記載のシステムであって、前記治療法オーダーは用量オーダーを含み、該オーダーは、前記注入ポンプを用いて投与する前記ＩＶ流体（２５２）に対応する用量の記載を含む、該システム。
（発明４２）
発明３７〜４１のうちいずれか１つに記載のシステムであって、前記構成出力はラベル（２６２；２６２’）を含む、システム。
（発明４３）
発明４２に記載のシステムであって、前記ラベル（２６２；２６２’）は、前記ＩＶ流体（２５２）を含有する容器（２５０）に取り付けられる、該システム。
（発明４４）
発明３８〜４３のうちいずれか１つに記載のシステムであって、前記患者ケア装置（１４０）は、前記第一部分のエントリを、前記第二部分に基づいて確認するよう動作可能である、該システム。
（発明４５）
発明３７〜４４のうちいずれか１つに記載のシステムであって、前記第一部分が第二のコードを含む、該システム。
（発明４６）
発明４５に記載のシステムであって、前記第一部分は、第二パーツを含み、該パーツは、前記第二のコードを含む、該システム。
（発明４７）
発明４６に記載のシステムであって、前記第一パーツは、プレーンテキスト値を含み、該値は、前記治療法の記載に対応する、該システム。
（発明４８）
発明４６に記載のシステムであって、前記患者ケア装置（１４０）は、前記プレーンテキスト値のエントリを、第二のコードに基づいて確認するよう動作可能であり、及び前記患者ケア装置（１４０）は、前記第二のコードを、前記第一のコードに基づいて有効化するよう動作可能である、該システム。
（発明４９）
発明４５〜４８のうちいずれか１つに記載のシステムであって、前記第二のコードは、患者ケア装置（１４０）を設定する際に使用するための１以上の設定データコンポーネントを表す、該システム。
（発明５０）
発明４５〜４９のうちいずれか１つに記載のシステムであって、前記患者ケア装置（１４０）は、予め記憶された治療法データセットに動作可能に通信し、前記第二のコードによって表される設定データコンポーネントにアクセスする、該システム。
（発明５１）
発明３７〜５０のうちいずれか１つに記載のシステムであって、前記オーダー・エントリ・インターフェース（１１０）は、プロセッサによって実行され、該プロセッサは、メモリと動作可能に通信する、該システム。
（発明５２）
発明５１に記載のシステムであって、前記メモリは、非一時的なコンピュータ読取可能データを保持し、該データは、前記オーダー・エントリ・インターフェース（１１０）の実行に対応する、該システム。
（発明５３）
発明３７〜５２のうちいずれか１つに記載のシステムであって、前記構成出力ジェネレーター（１２０）は、プロセッサによって実行され、該プロセッサは、メモリと動作可能に通信する、該システム。
（発明５４）
発明５３に記載のシステムであって、前記メモリは、非一時的なコンピュータ読取可能データを保持し、該データは、前記構成出力ジェネレーター（１２０）の実行に対応する、該システム。
【図１】
0006257652.tif 000002
【図２】
0006257652.tif 000003
【図３】
0006257652.tif 000004
【図４】
0006257652.tif 000005
【図５】
0006257652.tif 000006
【図６】
0006257652.tif 000007
【図７Ａ】
0006257652.tif 000008
【図７Ｂ】
0006257652.tif 000009
【図７Ｃ】
0006257652.tif 000010
【図７Ｄ】
0006257652.tif 000011
【図７Ｅ】
0006257652.tif 000012
【図８】
0006257652.tif 000013
【図９】
0006257652.tif 000014
【図１０】
0006257652.tif 000015
【図１１】
0006257652.tif 000016
【図１２】
0006257652.tif 000017
【図１３】
0006257652.tif 000018